(57)【要約】【課題】印圧分布及び設定印圧に応じた版変形を加味して印刷版のレリーフ（彫刻形状）を決定し、被印刷媒体上における良好な画像再現を可能とする技術を提供する。【解決手段】被印刷媒体に押し当てられる印刷版に、レリーフパターンデータに基づくレリーフを形成する製版方法は、設定印圧を取得するステップと、画像データに基づいて印圧分布を推定するステップ（Ｓ１０）と、印圧分布及び設定印圧に基づいてレリーフパターンデータの補正量を算出するステップと、補正量に基づいてレリーフパターンデータを補正するステップ（Ｓ１１）と、補正された彫刻形状データから露光量データを取得するステップ（Ｓ１２）とを含む。このようにして得られる露光量データに基づく露光（彫刻）処理によって、印圧分布及び設定印圧に応じた版変形を加味したレリーフが印刷版に形成され、被印刷媒体上において画像の印刷再現を良好に行うことが可能となる。【選択図】図１６
2014198390.tif 000002
【特許請求の範囲】
【請求項１】
被印刷媒体に押し当てられる印刷版に、レリーフパターンデータに基づくレリーフを形成する製版方法であって、
画像データに基づいて、レリーフパターンデータを算出するステップと、
前記画像データに基づいて、被印刷媒体に押し当てられた印刷版の印圧分布を推定するステップと、
設定印圧を取得するステップと、
前記印圧分布及び前記設定印圧に基づいて、前記レリーフパターンデータの補正量を算出するステップと、
前記補正量に基づいて、前記レリーフパターンデータを補正するステップと、を含む製版方法。
【請求項２】
前記レリーフは、前記画像データに基づく画像レリーフと、前記印刷版と前記被印刷媒体との間の印圧の管理指標を印刷するための印圧管理レリーフとを含み、
前記印圧管理レリーフは、前記設定印圧に基づいて前記印刷版に形成される請求項１に記載の製版方法。
【請求項３】
印刷版の版厚分布を示す版厚分布データを取得するステップを更に備え、
前記印圧分布は、前記画像データ及び前記版厚分布データに基づいて推定される請求項１又は２に記載の製版方法。
【請求項４】
前記印圧分布は、前記印刷版の所定範囲のうち前記被印刷媒体と接する部分の面積割合に基づいて推定される請求項１から３のいずれか１項に記載の製版方法。
【請求項５】
前記レリーフは、複数の凸部を含み、
前記レリーフパターンデータは、前記複数の凸部の高さのデータ及び形状のデータを含み、
前記レリーフパターンデータの前記補正量は、前記複数の凸部の高さのデータ及び形状のデータのうち少なくともいずれか一方に関する請求項１から４のいずれか１項に記載の製版方法。
【請求項６】
前記複数の凸部は、基礎部と、当該基礎部上に設けられ前記被印刷媒体に押し当てられる先端部とを有し、
前記複数の凸部の形状のデータは、少なくとも前記先端部の形状のデータを含む請求項５に記載の製版方法。
【請求項７】
前記複数の凸部の前記先端部の形状のデータは、前記先端部のうち印刷時に前記被印刷媒体と接する部分のデータを含む請求項６に記載の製版方法。
【請求項８】
前記複数の凸部は、基礎部と、当該基礎部上に設けられ前記被印刷媒体に押し当てられる先端部とを有し、
前記複数の凸部の高さのデータは、前記先端部の高さと、前記基礎部の高さと、前記先端部及び前記基礎部の全体の高さとのうち少なくともいずれか一つに関する請求項５から７のいずれか１項に記載の製版方法。
【請求項９】
前記レリーフは、複数の凸部を含み、
前記レリーフパターンデータは、前記複数の凸部の体積のデータを含み、
前記レリーフパターンデータの前記補正量は、前記複数の凸部の体積のデータに関する請求項１から４のいずれか１項に記載の製版方法。
【請求項１０】
補正された前記レリーフパターンデータに基づいて前記印刷版に前記レリーフを形成するステップを更に含む請求項１から９のいずれか１項に記載の製版方法。
【請求項１１】
前記レリーフは、前記印刷版に対する露光処理によって、前記印刷版に形成され、
版厚分布データに基づいて、前記印刷版の厚み方向に関する露光特性が導出され、
前記露光特性が加味された前記露光処理によって、前記レリーフが前記印刷版に形成される請求項１０に記載の製版方法。
【請求項１２】
被印刷媒体に押し当てられる印刷版に、レリーフパターンデータに基づくレリーフを形成する製版装置であって、
画像データに基づいて、レリーフパターンデータを算出するレリーフ算出部と、
前記画像データに基づいて、被印刷媒体に押し当てられた印刷版の印圧分布を推定する印圧分布推定部と、
設定印圧が取得される設定印圧取得部と、
前記印圧分布及び前記設定印圧に基づいて、前記レリーフパターンデータの補正量を算出する補正量算出部と、
前記補正量に基づいて、前記レリーフパターンデータを補正するデータ補正部と、を含む製版装置。
【請求項１３】
請求項１２に記載の製版装置と、
前記製版装置によってレリーフが形成される印刷版を被印刷媒体に押し当てる印刷部と、を備える印刷装置。
【請求項１４】
レリーフが形成された印刷版であって、
画像データに基づいてレリーフパターンデータが算出され、被印刷媒体に押し当てられた印刷版の印圧分布が前記画像データに基づいて推定され、設定印圧が取得され、前記レリーフパターンデータの補正量が前記印圧分布及び前記設定印圧に基づいて算出され、前記補正量に基づいて前記レリーフパターンデータが補正され、補正された前記レリーフパターンデータに基づくレリーフが形成された印刷版。
【請求項１５】
前記レリーフは、前記画像データに基づく画像レリーフと、前記印刷版と前記被印刷媒体との間の印圧の管理指標を印刷するための印圧管理レリーフとを含み、
前記印圧管理レリーフは、前記設定印圧に基づいて前記印刷版に形成される請求項１４に記載の印刷版。
【発明の詳細な説明】
【技術分野】
【０００１】
本発明は、製版方法、製版装置、印刷装置及び印刷版に関し、例えばフレキソ版材をレーザー彫刻することで製版される印刷版に関する。
【背景技術】
【０００２】
印刷用凸版はフレキソ印刷等の印刷分野において広く採用されており、特に近年では、環境に優しい印刷方式としてフレキソ印刷が注目されている。
【０００３】
フレキソ印刷では、柔軟で弾力性のある版材と、インク（水性インク、ＵＶインク等）とを使用して印刷が行われる。フレキソ印刷で使用する版材は、その弾力性のために印圧（押し込み量）に応じて変形する。したがって、フレキソ印刷版は、表面に凹凸を有する段ボール等の被印刷媒体に対しても適切に追従密着し、良好な転写印刷を行うことができる。
【０００４】
特許文献１は、フレキソ印刷で採用される印刷用凸版を開示する。この印刷用凸版は、平網部領域において、印刷面の高さが相互に異なる複数種類の網点主突起部を有する。特許文献１では、小さな網点の局所太りを回避し、ベタ部近傍における非印字欠陥の発生を解消して、一部の網点突起部を低層化したことによる印圧の不安定性を解消することが図られている。
【０００５】
特許文献２は、印刷版のパターン領域が転写されることで被転写体表面に形成された転写領域が、パターン領域よりも伸び広がった台形状に形成されることを防止するための印刷版を開示する。この印刷版では、パターン領域データよりも縮小されたパターン領域が設けられ、パターン領域のうち、版胴の回転方向における先端側に存在して先に印刷転写される部分の縮小率は、後端側に存在して後に印刷転写される部分の縮小率よりも小さくなっている。
【先行技術文献】
【特許文献】
【０００６】
【特許文献１】特開２０１１−２２４８７８号公報
【特許文献２】特開２０１２−０７４２８１号公報
【発明の概要】
【発明が解決しようとする課題】
【０００７】
フレキソ印刷等で使用される印刷版の理想的な版変形特性としては、印刷時の印圧によって、印刷版の表面付近（インク転写に関わる部分）は変形せずに、高さ方向にのみ沈み込むように印刷版（レリーフ部分）が変形することが望ましい。しかしながら、実際の印刷では、印刷版の表面付近から変形してしまう。
【０００８】
このような印刷版の変形は、被印刷媒体との間で生じる印圧の大きさに応じて変動する。印刷版と被印刷媒体との間の印圧は、印刷版のレリーフ形状によって変わり、両者間の接触面積の大小に影響される。すなわち、印刷版のうち、比較的大きな接触面積を有するエリア（例えば、ベタ形成エリア）よりも、比較的小さな接触面積を有するエリア（例えば、網点（孤立点）形成エリア）のほうが、圧力が集中して印圧が大きくなる傾向がある。したがって、比較的大きな接触面積を有するエリアよりも、比較的小さな接触面積を有するエリアのほうが、版変形が大きくなって、被印刷媒体上の印刷画像が太る傾向がある。
【０００９】
また、印圧の偏りは、注目エリアの接触面積の大きさ（レリーフ形状）だけではなく、注目エリアを含む周辺領域における接触面積の総和（レリーフ形状）の影響を受け、周辺の画像種類（ベタ領域、網パーセント、白抜け等）によって注目エリアにおける印圧（印刷版の押し込み量）が変動する。
【００１０】
このため、小さな接触面積を有するエリア（孤立点等）は、近傍に大きな接触面積を有するエリア（ベタ等）がある場合と、そうではない場合とで、被印刷媒体上における印刷画像の太り方が異なる。したがって、同じ接触面積率を持つ網点形成エリアであっても、周辺領域のレリーフ種類によって、被印刷媒体上で再現される画像濃度が異なってしまい、孤立点や細線が太る等の様々な画質劣化が画像中の異なる領域で発生する場合がある。このように、従来のフレキソ印刷技法では、網点ドットや細線が想定以上に太くなったり細くなったりして、画像内で均一な印刷再現性を保証することが難しかった。
【００１１】
また、印刷版の厚みにバラツキが存在する場合にも、被印刷媒体上における印刷画像の再現精度が一定しない。製造誤差等によって印刷版自体に厚み分布が存在する場合には、同じレリーフ（彫刻構造）を有していても、版厚の厚い箇所と薄い箇所とではレリーフ頂部の位置（高さ）が異なる。すなわち、版厚が厚い箇所のレリーフ頂部の位置は相対的に高くなり、版厚が薄い箇所のレリーフ頂部の位置は相対的に低くなる。したがって、厚みにバラツキが存在する印刷版では、その厚み分布に応じて印圧が変化し、被印刷媒体上に再現される画像も版厚によって太り方が異なってしまう。
【００１２】
また、印刷時の設定印圧をユーザ側で変更したいという要求が存在するが、設定印圧が変更されると、上述の周辺領域のレリーフ種類や版厚分布と相俟って、被印刷媒体上に再現される画像の太り方が変動する。すなわち、全体的な印圧（設定印圧）を調整可能とすることで、全体的に濃い画像或いは淡い画像をユーザの好みに応じて印刷することが行われる場合が想定される。そのような場合に、ユーザによって設定印圧が変更されると、レリーフ種類や版厚分布等の影響を受け、ユーザが意図する印圧とは異なる印圧が作用してしまい、所望の画像を精度良く印刷することができない場合がある。したがって、実際の印刷が、ユーザの意図する設定印圧によって行われているか否かを簡便に確認することができる手法の提案が望まれている。
【００１３】
本発明は上述の事情に鑑みてなされたものであり、設定印圧が変更可能な場合であっても、印圧分布及び設定印圧に応じた版変形を加味して印刷版のレリーフ（彫刻形状）を決定し、被印刷媒体上における良好な画像再現を可能とする技術を提供することを目的の一つとする。
【００１４】
また、本発明は、印刷版に形成（彫刻）されたレリーフ形状に適した印圧で印刷するための目標印圧を管理する印刷管理技術を提供することを目的の一つとする。
【課題を解決するための手段】
【００１５】
本発明の一態様は、被印刷媒体に押し当てられる印刷版に、レリーフパターンデータに基づくレリーフを形成する製版方法であって、設定印圧を取得するステップと、画像データに基づいて、レリーフパターンデータを算出するステップと、画像データに基づいて、被印刷媒体に押し当てられた印刷版の印圧分布を推定するステップと、印圧分布及び設定印圧に基づいて、レリーフパターンデータの補正量を算出するステップと、補正量に基づいて、レリーフパターンデータを補正するステップと、を含む製版方法に関する。
【００１６】
本態様によれば、画像データから印圧分布が精度良く求められ、この印圧分布及び設定印圧に基づいてレリーフパターンデータの補正量が算出され、算出された補正量に基づい
てレリーフパターンデータが補正される。したがって、印圧分布及び設定印圧に応じた版変形を加味したレリーフパターンデータの補正及びレリーフの決定を行うことができ、良好な画像を被印刷媒体上に印刷再現することが可能である。
【００１７】
なお、レリーフパターンデータは、任意のレリーフのパターンデータを含むことができ、例えば網点印刷用レリーフ、凸細線印刷用レリーフ、ベタ印刷用レリーフ、その他の形状の印刷用レリーフを適宜含むことが可能である。
【００１８】
また、設定印圧は、印刷版を被印刷媒体に押し当てて印刷を行う際の基準となる印圧である。この設定印圧は、ユーザの好みに応じて変更可能であり、例えば全体的に濃度の濃い印刷が望まれる場合には設定印圧値が大きくされ、全体的に濃度の淡い印刷が望まれる場合には設定印圧値が小さくされる。
【００１９】
望ましくは、レリーフは、画像データに基づく画像レリーフと、印刷版と被印刷媒体との間の印圧の管理指標を印刷するための印圧管理レリーフとを含み、印圧管理レリーフは、設定印圧に基づいて印刷版に形成される。
【００２０】
本態様によれば、印圧の管理指標を印刷するための印圧管理レリーフが設定印圧に基づいて印刷版に形成される。したがって、本態様によって製造される印刷版による印刷では、被印刷媒体上に管理指標が印刷され、この管理指標に基づいて、印刷時における印刷版と被印刷媒体との間の印圧を簡便に管理することが可能である。
【００２１】
望ましくは、製版方法は、印刷版の版厚分布を示す版厚分布データを取得するステップを更に備え、印圧分布は、画像データ及び版厚分布データに基づいて推定される。
【００２２】
本態様によれば、画像データ及び版厚分布データから印圧分布が精度良く求められる。
【００２３】
望ましくは、印圧分布は、印刷版の所定範囲のうち被印刷媒体と接する部分の面積割合に基づいて推定される。
【００２４】
印圧は、印刷版と被印刷媒体との接触面積（接地面積）の割合に応じて変動する。したがって、本態様によれば、印圧分布を精度良く推定することができる。
【００２５】
望ましくは、レリーフは、複数の凸部を含み、レリーフパターンデータは、複数の凸部の高さのデータ及び形状のデータを含み、レリーフパターンデータの補正量は、複数の凸部の高さのデータ及び形状のデータのうち少なくともいずれか一方に関する。
【００２６】
本態様によれば、凸部の高さ及び形状のうち少なくともいずれか一方に基づいて、レリーフを補正することができる。
【００２７】
望ましくは、複数の凸部は、基礎部と、基礎部上に設けられ被印刷媒体に押し当てられる先端部とを有し、複数の凸部の形状のデータは、少なくとも先端部の形状のデータを含む。
【００２８】
本態様によれば、凸部の先端部の形状のデータに基づいて、印刷版に形成されるレリーフを補正しうる。なお、「凸部の先端部」とは、印刷時に被印刷媒体に押し当てられる部分（面）を含む端部を意味する。
【００２９】
望ましくは、複数の凸部の先端部の形状のデータは、先端部のうち印刷時に被印刷媒体と接する部分のデータを含む。
【００３０】
本態様によれば、凸部の先端部のうち印刷時に被印刷媒体と接する部分（面）のデータに基づいて、印刷版に形成されるレリーフを補正しうる。
【００３１】
望ましくは、複数の凸部は、基礎部と、基礎部上に設けられ被印刷媒体に押し当てられる先端部とを有し、複数の凸部の高さのデータは、先端部の高さと、基礎部の高さと、先端部及び基礎部の全体の高さとのうち少なくともいずれか一つに関する。
【００３２】
本態様によれば、凸部の先端部の高さと、基礎部の高さと、先端部及び基礎部の全体の高さとのうち少なくともいずれかに基づいて、印刷版に形成されるレリーフを補正しうる。
【００３３】
望ましくは、レリーフは、複数の凸部を含み、レリーフパターンデータは、複数の凸部の体積のデータを含み、レリーフパターンデータの補正量は、複数の凸部の体積のデータに関する。
【００３４】
本態様によれば、凸部の体積のデータに基づいて、印刷版に形成されるレリーフを補正することができる。
【００３５】
なお、レリーフパターンデータ及びレリーフパターンデータの補正量は、凸部の体積のデータを直接的に対象としてもよいし、凸部の体積のデータを間接的に表現可能な「凸部の体積を決める要素（断面サイズ、断面積、高さ等）」を対象としてもよい。
【００３６】
望ましくは、製版方法は、補正されたレリーフパターンデータに基づいて印刷版にレリーフを形成するステップを更に含む。
【００３７】
本態様によれば、印圧分布に応じた版変形を加味したレリーフパターンデータの補正及びレリーフの決定が行われた印刷版によって、良好な画像を被印刷媒体上に印刷再現することができる。
【００３８】
望ましくは、レリーフは、印刷版に対する露光処理によって、印刷版に形成され、版厚分布データに基づいて、印刷版の厚み方向に関する露光特性が導出され、露光特性が加味された露光処理によって、レリーフが印刷版に形成される。
【００３９】
本態様によれば、版厚分布データに基づいて導出される「印刷版の厚み方向に関する露光特性」が加味された露光処理によってレリーフが形成されるため、露光特性に応じた高精度なレリーフ形成が可能である。したがって、印刷版の版厚が一定ではない場合であっても、所望画像を再現可能なレリーフを印刷版に精度良く形成することが可能である。
【００４０】
ここでいう「露光特性」は、印刷版の厚み方向に関して変動しうる特性であり、露光処理に影響を及ぼしうる露光条件等の各種のファクターを含みうる。例えば、露光処理に用いられる「露光ビームの径」等を露光特性として採用してもよい。
【００４１】
本発明の他の態様は、被印刷媒体に押し当てられる印刷版に、レリーフパターンデータに基づくレリーフを形成する製版装置であって、設定印圧が取得される設定印圧取得部と、画像データに基づいて、レリーフパターンデータを算出するレリーフ算出部と、画像データに基づいて、被印刷媒体に押し当てられた印刷版の印圧分布を推定する印圧分布推定部と、印圧分布及び設定印圧に基づいて、レリーフパターンデータの補正量を算出する補正量算出部と、補正量に基づいて、レリーフパターンデータを補正するデータ補正部と、を含む製版装置に関する。
【００４２】
本発明の他の態様は、上記の製版装置と、製版装置によってレリーフが形成される印刷版を被印刷媒体に押し当てる印刷部と、を備える印刷装置に関する。
【００４３】
本発明の他の態様は、レリーフが形成された印刷版であって、画像データに基づいてレリーフパターンデータが算出され、設定印圧が取得され、被印刷媒体に押し当てられた印刷版の印圧分布が画像データに基づいて推定され、レリーフパターンデータの補正量が印圧分布及び設定印圧に基づいて算出され、補正量に基づいてレリーフパターンデータが補正され、補正されたレリーフパターンデータに基づくレリーフが形成された印刷版に関する。
【００４４】
望ましくは、レリーフは、画像データに基づく画像レリーフと、印刷版と被印刷媒体との間の印圧の管理指標を印刷するための印圧管理レリーフとを含み、印圧管理レリーフは、設定印圧に基づいて印刷版に形成される。
【発明の効果】
【００４５】
本発明によれば、画像内容を解析して印圧分布を推定し、印圧分布及び設定印圧から推測される版変形を是正するようなデータ補正を行うことで、印圧分布及び設定印圧を加味したレリーフ形成が可能である。したがって、画像内容によらず、また設定印圧が変更可能であっても、目標通りの安定した良好な画像印刷物が得ることができる。
【００４６】
また、本発明において「印圧の管理指標を印刷するための印圧管理レリーフ」を印刷版に形成することで、印刷時の印圧を適切に管理することができ、印刷版に形成された画像レリーフの形状に適した印圧である目標印圧による印刷を簡便に実行することが可能である。
【図面の簡単な説明】
【００４７】
【図１】フレキソ印刷機の要部構成例を示す図である。
【図２】印刷時におけるフレキソ印刷版と被印刷媒体との接触箇所の拡大図である。
【図３】フレキソ印刷版にレリーフを形成するレーザー彫刻機の一例を示す平面図である。
【図４】フレキソ印刷版の一部に形成されるレリーフ例を示す平面図である。
【図５】図４に示すフレキソ印刷版の領域と、印刷時の押し下げ量との関係の一例を示す図である。
【図６】図４に示すフレキソ印刷版の領域と、印刷時の印圧との関係の一例を示す図である。
【図７】図４に示すフレキソ印刷版によって理想的な印刷が行われた場合の、目標となる理想的な印刷画像が示された被印刷媒体の平面図である。
【図８】図４に示すフレキソ印刷版によって通常の印刷が行われた場合の、実際の印刷画像が示された被印刷媒体の平面図であり、特にフレキソ印刷版の版厚が全体にわたって一定であると仮定した場合に得られる印刷画像を示す。
【図９】本発明の一実施形態に係るフレキソ印刷システムの構成を示すブロック図である。
【図１０】第１の実施形態に係る露光量データ生成部の一構成例を示す機能ブロック図である。
【図１１】図１０の彫刻形状データ補正部の一構成例を示す機能ブロック図である。
【図１２】フレキソ印刷システムにおけるデータの流れの一例を示す図である。
【図１３】フレキソ印刷システムにおけるデータの流れの他の例を示す図である。
【図１４】フレキソ印刷版の平面図であり、画像レリーフ及び印圧管理レリーフの配置関係の一例を示す。
【図１５】フレキソ印刷版の平面図であり、画像レリーフ及び印圧管理レリーフの配置関係の他の例を示す。
【図１６】彫刻形状データ補正部及び露光量データ変換部における処理の流れの概略を示すフローチャートであり、彫刻形状データに変換する前の画像データに基づいて印圧分布を推定する例を示す。
【図１７】彫刻形状データ変換部、彫刻形状データ補正部及び露光量データ変換部における処理の流れの概略を示すフローチャートであり、彫刻形状データに基づいて印圧分布を推定する例を示す。
【図１８】画像データ（彫刻形状データ）に基づいて印圧分布を計算し、この印圧分布に基づく補正量を算出するプロセスの一例を説明するフローチャートである。
【図１９】ＲＯＩを説明するための画像例を示す図である。
【図２０】「ＲＯＩ内の接地面積率」及び「注目画素近傍内の接地面積率」の比率と「網点用の彫刻形状データの補正量」との関係の一例を示す図である。
【図２１】形状補正を実現する露光テーブルの一例を示す表（変換テーブル）である。
【図２２】印圧管理レリーフの露光量データの算出フローの一例を示す図である。
【図２３】複数の設定印圧に割り当てられた露光量データ（露光テーブル）の一例を示す表である。
【図２４】フレキソ印刷版の版厚分布の一例を示す図である。
【図２５】版厚分布を有するフレキソ印刷版の各領域と、印刷時の押し下げ量との関係の一例を示す図である。
【図２６】版厚分布を有するフレキソ印刷版の各領域と、印刷時の印圧との関係の一例を示す図である。
【図２７】図４に示すフレキソ印刷版によって通常の印刷が行われた場合の、実際の印刷画像が示された被印刷媒体の平面図であり、特にフレキソ印刷版の版厚が全体にわたって一定ではない場合に得られる印刷画像を示す。
【図２８】第２の実施形態に係る露光量データ生成部の一構成例を示す機能ブロック図である。
【図２９】彫刻形状データ補正部及び露光量データ変換部における処理の流れの概略を示すフローチャートであり、彫刻形状データに変換する前の画像データに基づいて印圧分布を推定する例を示す。
【図３０】レーザー彫刻機で用いられるレーザー（露光ビーム）の径変化を示す図である。
【図３１】彫刻形状データ変換部、彫刻形状データ補正部及び露光量データ変換部における処理の流れの概略を示すフローチャートであり、彫刻形状データに基づいて印圧分布を推定する例を示す。
【図３２】画像データ（彫刻形状データ）及び版厚分布に基づいて押し込み量（印圧分布）を計算し、この押し込み量（印圧分布）に基づく補正量を算出するプロセスの一例を説明するフローチャートである。
【図３３】ＲＯＩ内における接地面積率と押し込み量との対応関係の一例を示す図である。
【図３４】「注目位置（注目画素）における押し込み量」と「注目位置の彫刻形状データの補正量」との対応関係の一例を示す図である。
【図３５】レーザービーム径に対応した形状補正を実現するための露光変換テーブルを示す表である。
【図３６】レーザービーム径に対応した印圧管理レリーフを実現するための露光変換テーブルを示す表である。
【図３７】版厚分布を加味した印圧管理レリーフ用の露光量データの算出フローの一例を示す図である。
【図３８】彫刻形状データに変換前の画像データ（１ビット画像データ）の一例を示す図である。
【図３９】図３８の画像データから求められる彫刻形状データの一例を示す図である。
【図４０】図３９に示す彫刻形状データを印圧分布に基づいて補正することで得られる「補正後の彫刻形状データ」の一例を示す図である。
【図４１】図３９に示す彫刻形状データを印圧分布に基づいて補正することで得られる「補正後の彫刻形状データ」の他の例を示す図である。
【図４２】フレキソ印刷版の一部に形成されたレリーフの一例を示す外観斜視図であり、印圧分布を考慮した補正が行われていない彫刻形状データに基づいて、フレキソ印刷版上に彫刻作成されたレリーフ（凸部）の一例を示す。
【図４３】フレキソ印刷版の一部に形成されたレリーフの一例を示す外観斜視図であり、印圧分布を考慮した補正が行われた彫刻形状データに基づいて、フレキソ印刷版上に彫刻作成されたレリーフ（凸部）の一例を示す。
【図４４】網点中の小点の彫刻形状（先端部形状）を印圧分布に応じて補正する例を説明するための凸部の外観図であり、（ａ）は標準よりも大きな印圧が作用する場合の凸部を示し、（ｂ）は標準的な印圧が作用する場合の凸部を示し、（ｃ）は標準よりも小さな印圧が作用する場合の凸部を示す。
【図４５】網点中の小点の彫刻形状（凸部高さ）を印圧分布に応じて補正する例を説明するための凸部の外観図であり、（ａ）は標準よりも大きな印圧が作用する場合の凸部を示し、（ｂ）は標準的な印圧が作用する場合の凸部を示し、（ｃ）は標準よりも小さな印圧が作用する場合の凸部を示す。
【図４６】網点中の小点の彫刻形状（凸部先端部体積）を印圧分布に応じて補正する例を説明するための凸部の外観図であり、（ａ）は標準よりも大きな印圧が作用する場合の凸部を示し、（ｂ）は標準的な印圧が作用する場合の凸部を示し、（ｃ）は標準よりも小さな印圧が作用する場合の凸部を示す。
【図４７】凸細線印刷用のレリーフ彫刻形状（先端部形状）を印圧分布に応じて補正する例を説明するための凸部の外観図であり、（ａ）は凸細線印刷用の凸部の外観斜視図であり、（ｂ）は標準よりも大きな印圧が作用する場合の凸部の断面図を示し、（ｃ）は標準的な印圧が作用する場合の凸部の断面図を示し、（ｄ）は標準よりも小さな印圧が作用する場合の凸部の断面図を示す。
【図４８】凸細線印刷用のレリーフ彫刻形状（先端部体積）を印圧分布に応じて補正する例を説明するための凸部の外観図であり、（ａ）は凸細線印刷用の凸部の外観斜視図であり、（ｂ）は標準よりも大きな印圧が作用する場合の凸部の断面図を示し、（ｃ）は標準的な印圧が作用する場合の凸部の断面図を示し、（ｄ）は標準よりも小さな印圧が作用する場合の凸部の断面図を示す。
【図４９】印圧判定装置の構成例を示す図である。
【発明を実施するための形態】
【００４８】
添付図面を参照して本発明の実施形態について説明する。以下では、本発明を「フレキソ印刷」に適用する例について説明するが、これに限定されるものではない。本発明は、レリーフが形成される印刷版を利用する印刷技術に対して広く適用可能である。
【００４９】
＜第１の実施形態＞
図１は、フレキソ印刷機１０の要部構成例を示す図である。図２は、印刷時におけるフレキソ印刷版１と被印刷媒体３との接触箇所の拡大図である。
【００５０】
フレキソ印刷機（印刷部）１０は、フレキソ印刷版１と、フレキソ印刷版１が両面テープ等のクッションテープ２を介して取り付けられる版胴４と、ドクターチャンバ６によりインクが供給されるアニロックスローラ８と、版胴４と対向するように設置される圧胴９とを備える。
【００５１】
フレキソ印刷版１のレリーフ５０の頂部（印刷面）には、アニロックスローラ８からイ
ンクが転写される。そして、フレキソ印刷版１が取り付けられた版胴４と圧胴９との間を被印刷媒体３が通過する際に、被印刷媒体３にフレキソ印刷版１（レリーフ５０の頂部）が押し当てられることで、フレキソ印刷版１のレリーフ頂部に付着するインクが被印刷媒体３に転写され、被印刷媒体３上に所望画像が印刷形成される。
【００５２】
図３は、フレキソ印刷版１にレリーフ５０を形成するレーザー彫刻機２０の一例を示す平面図である。
【００５３】
レーザー彫刻機２０は、ドラム２２と、ドラム２２上に保持されるフレキソ版材（印刷版）Ｆを露光彫刻するための露光ヘッド２８とを備える。露光ヘッド２８はステージ３０に搭載され、ピント位置変更機構３２及び間欠送り機構３８によって移動可能となっている。
【００５４】
ピント位置変更機構３２は、フレキソ版材Ｆが取り付けられたドラム２２に対して露光ヘッド２８を前後移動させるためのモータ３４及びボールネジ３６を有する。これらのモータ３４及びボールネジ３６によって露光ヘッド２８の主走査方向の移動が制御され、露光彫刻処理のピント位置が調整される。
【００５５】
間欠送り機構３８は、ボールネジ４０と、このボールネジ４０を回転させる副走査モータ４２とを有する。これらのボールネジ４０及び副走査モータ４２によって露光ヘッド２８（ステージ３０）の副走査方向への移動が制御され、露光ヘッド２８はドラム２２の軸線２４方向（副走査方向）に間欠送りされる。なお、ドラム２２上のフレキソ版材Ｆは、チャック部材２６によってチャックされ、ドラム２２上での保持位置が固定される。フレキソ版材Ｆのうちチャック部材２６によってチャックされる位置は、露光ヘッド２８による露光が行われない領域である。
【００５６】
ドラム２２を回転させながら、露光ヘッド２８からのレーザービームをフレキソ版材Ｆに対して照射することで、フレキソ版材Ｆの表面に所望のレリーフ５０が形成される。なお、ドラム２２の回転によってチャック部材２６が露光ヘッド２８の前を通過する際に、露光ヘッド２８（ステージ３０）が副走査方向に間欠送りされ、その後、次のラインのレーザー彫刻が行われる。
【００５７】
このような「ドラム２２の回転によるフレキソ版材Ｆの主走査方向の送り」及び「露光ヘッド２８の副走査方向の間欠送り」を組み合わせることによって、露光走査位置が制御される。また、露光走査位置毎の露光データ（深さデータ）に基づくレーザービームの強度やオン／オフが制御されることで、所望の形状のレリーフ５０がフレキソ版材Ｆにレーザー彫刻され、フレキソ印刷に使用されるフレキソ印刷版１（図１及び図２参照）が形成される。
【００５８】
＜印圧分布と印刷結果の関係＞
フレキソ印刷版１（特にレリーフ５０）は、弾性に富んだ柔軟な部材によって形成され、印圧に応じて変形する。したがって、掛かる印圧の大きさによって、レリーフ５０の変形量が変動し、被印刷媒体３上に形成される印刷画像も変わってしまう。このフレキソ印刷版１に掛かる印圧は、注目位置のレリーフ５０の種類（白抜き、網点、凸細線、ベタ等）だけではなく、周辺のレリーフ５０の種類によっても変動する。
【００５９】
図４は、フレキソ印刷版１の一部に形成されるレリーフ例を示す平面図である。図４に示すフレキソ印刷版１のレリーフ５０は１ビット画像データに基づいている。
【００６０】
図４に示すフレキソ印刷版１では、均一な網点濃度（面積率）を有する網点の印刷用の
レリーフ５０が形成された「網点領域」を挟んで、白抜き印刷用の「白抜き領域」（図４の左側）及びベタ印刷用の「ベタ領域」（図４の右側）が存在する。フレキソ印刷版１がこのように複数種類の領域（レリーフ５０）を有する場合、印刷時に各領域に掛かる印圧は、隣接領域の種類によって変動する。すなわち、網点領域のうち白抜き領域に近接する側では比較的強い印圧を受ける一方で（図４の「強印圧領域」参照）、網点領域のうちベタ領域に近接する側では比較的弱い印圧を受けることとなる（図４の「弱印圧領域」参照）。
【００６１】
図５は、図４に示すフレキソ印刷版１の領域（図４の矢印Ａ方向の位置）と、印刷時の押し下げ量との関係の一例を示す図である。図６は、図４に示すフレキソ印刷版１の領域（図４の矢印Ａ方向の位置）と、印刷時の印圧との関係の一例を示す図である。なお、図５及び図６には、図４に示すフレキソ印刷版１の「白抜き領域」、「網点領域」及び「ベタ領域」の各々に同じ大きさの荷重が一様に加えられている場合の関係が示されている。
【００６２】
フレキソ印刷版１のうち、被印刷媒体と接触せずに印刷時の押し下げ方向の版移動を阻害するものがない「白抜き領域」では、被印刷媒体と接触して押し下げ方向の版移動が阻害される「網点領域」や「ベタ領域」と比べ、印刷時の押し下げ量が大きくなる傾向がある（図５参照）。また、この「白抜き領域」は被印刷媒体と接触しないため、「白抜き領域」と被印刷媒体との間で生じる印圧は、基本的にゼロになる（図６参照）。
【００６３】
一方、フレキソ印刷版１のうち「ベタ領域」は、印刷時に被印刷媒体と全面的に接触して押し下げ移動が阻害されるため、「白抜き領域」及び「網点領域」と比べ、印刷時の押し下げ量自体は小さくなる（図５参照）。また、加えられる荷重が同じ場合には、被印刷媒体との接触面積の割合が大きいほど、単位面積当たりの圧力は小さくなるため、被印刷媒体と全面にわたって接触するフレキソ印刷版１の「ベタ領域」では、被印刷媒体と部分的に接触する「網点領域」よりも、印圧が小さくなる（図６参照）。
【００６４】
一方、フレキソ印刷版１のうち「網点領域」は、印刷時に被印刷媒体と部分的に接触して押し下げ移動が阻害されるため、「白抜き領域」よりは印刷時の押し下げ量が小さくなるが、「ベタ領域」よりは印刷時の押し下げ量が大きくなる（図５参照）。また、フレキソ印刷版１の「網点領域」における印刷時の印圧は、被印刷媒体と接触しない「白抜き領域」よりも大きく、また被印刷媒体との接触面積割合が大きい「ベタ領域」よりも大きくなる。
【００６５】
このように、フレキソ印刷版１の印刷時の押し下げ量及び印圧は、各領域自体の特性（レリーフ５０、接触面積）の影響を受けるが、更に隣接領域の種類・特性の影響も受ける。
【００６６】
例えば図４に示す例において、「網点領域」のうち「白抜き領域」に近い側では、白抜き領域の押し下げ量の影響を受け、比較的強い印圧が掛かり、押し下げ量も比較的大きくなる（図５及び図６の「強印圧領域」参照）。一方、「網点領域」のうち「ベタ領域」に近い側では、ベタ領域の押し下げ量の影響を受け、比較的弱い印圧が掛かり、押し下げ量も比較的小さくなる（図５及び図６の「弱印圧領域」参照）。このように、印圧によって変形の程度が変動する網点領域のレリーフ（小点）は、周囲のレリーフの種類の影響を受け、印刷状態が位置によって変わってしまうことがある。
【００６７】
図７は、図４に示すフレキソ印刷版１によって理想的な印刷が行われた場合の、目標となる理想的な印刷画像が示された被印刷媒体３の平面図である。図８は、図４に示すフレキソ印刷版１によって通常の印刷が行われた場合の、実際の印刷画像が示された被印刷媒体３の平面図である。なお、図８の印刷に使用されるフレキソ印刷版１は全体にわたって
均一な版厚を有し、図８の被印刷媒体３上の印刷結果はフレキソ印刷版１の版厚に偏りが無い場合を想定している。
【００６８】
図７に示すように、理想的な状態で印刷が行われる場合には、フレキソ印刷版１のレリーフ５０が適切に反映された印刷が行われ、「白抜き領域」、「網点領域」及び「ベタ領域」の領域境界も明確になっており、各領域内の印刷状態も一様になる。
【００６９】
しかしながら、実際の印刷では、周辺領域のレリーフ種類の影響を受けて印圧に偏りが生じ（図６参照）、被印刷媒体３上の印刷状態はそのような印圧の偏りの影響を受ける。したがって、図４に示すフレキソ印刷版１による実際の印刷では、図８に示すように、網点領域のうち白抜き領域に近接する「強印圧領域」及びベタ領域に近接する「弱印圧領域」の印刷状態にムラが生じる。このように、注目エリアの印刷状態は周辺エリアの彫刻形状分布（レリーフ種類）に左右されるため、通常方式のフレキソ印刷では、ユーザの意図通りの印刷結果が得られないことがある。
【００７０】
また、ユーザ側で印刷時の設定印圧を変更する場合にも、印圧が変動し、所望の画像を精度良く印刷することができない場合がある。特に、フレキソ印刷版１（レリーフ５０）自体の製造誤差、印刷版製造装置６２の彫刻誤差、等の種々の要因が組み合わさって、実際の印刷が設定印圧とは異なる印圧によって行われる可能性もある。
【００７１】
本件発明者は、このような印圧分布及び設定印圧と印刷状態との関係に注目し、印圧分布及び設定印圧に応じた版変形を加味して印刷版のレリーフ（彫刻形状）を決定し、被印刷媒体（被印刷体）上で良好に画像再現することができる技術を新たに見出した。また、本件発明者は、実際の印刷が所望の設定印圧によって行われたか否かを簡便に確認することが可能な技術を新たに見出した。すなわち、印刷対象となっている画像データを解析してフレキソ印刷版１に掛かる印圧分布を推定し、この推定した「印圧分布」及び「ユーザが設定した所望の印圧（設定印圧）」に基づくフレキソ印刷版１の変形を加味した彫刻形状の決定（補正）を行うことで、所望画像を被印刷媒体上で正確に印刷再現することが可能である。
【００７２】
以下、そのような印圧分布に基づく彫刻形状補正を行う印刷装置の一例について説明する。
【００７３】
＜印刷装置の構成例＞
図９は、本発明の一実施形態に係るフレキソ印刷システム（印刷用凸版作成システム）６０の構成を示すブロック図である。
【００７４】
フレキソ印刷システム６０は、ＲＩＰ（Ｒａｓｔｅｒ  Ｉｍａｇｅ  Ｐｒｏｃｅｓｓｏｒ）装置６１と、印刷版製造装置６２とを備え、これらのＲＩＰ装置６１及び印刷版製造装置６２によって、画像データ（レリーフパターンデータ）に基づくレリーフ５０（レリーフパターン）をフレキソ版材Ｆ（フレキソ印刷版１）に形成する製版装置（製版方法）が構成されている。
【００７５】
ＲＩＰ装置６１は、ＲＩＰ処理部６６と、スクリーニング処理部（２値画像データ生成部）６８と、露光量データ生成部７０とを有する。
【００７６】
ＲＩＰ処理部６６は、コンピュータ等を用いて編集された印刷原稿のベクトル画像を表現するＰＤＦ（Ｐｏｒｔａｂｌｅ  Ｄｏｃｕｍｅｎｔ  Ｆｏｒｍａｔ）データやＰＳ（ＰｏｓｔＳｃｒｉｐｔ；登録商標）データ等のページ記述言語（Ｐａｇｅ  Ｄｅｓｃｒｉｐｔｉｏｎ  Ｌａｎｇｕａｇｅ）データを、ラスタ画像データに展開する。
【００７７】
ラスタ画像データを構成する各画素データは、階調値として、例えばＣＭＹＫの４チャンネルにおいてチャンネル毎に８ビット、すなわち２５６（０〜２５５）階調を採ることが可能である。なお、このような階調は、対応する網点面積率（網点濃度）に変換可能である。例えば、各画素データが０〜１００の値を採る場合、画像データが１００の場合にはベタ部が形成され、画像データが０の場合には網点突起部（網点印刷用突起部、又は、単に突起部）が形成されないようにしてもよい。
【００７８】
スクリーニング処理部６８は、ラスタ画像データを、予め指定された網（ＡＭ網点、ＦＭ網点等）、角度、スクリーン線数等の条件下でスクリーニングして、２値画像データに変換する。例えば、スクリーン線数を１７５本／インチとし、１つの網点で表現可能な階調を２５６（＝１６×１６）階調とすると、スクリーニング処理部６８は、２８００（＝１７５×１６）ｄｐｉの解像度の２値ビットマップデータを生成することができる。
【００７９】
露光量データ生成部７０は、２値画像データを、１６ビット（６５５３６階調）等によって表現可能な露光量データに変換する。なお、露光量データ生成部７０の詳細については後述する（図１０参照）。
【００８０】
一方、印刷版製造装置６２は、彫刻型のＣＴＰ（Ｃｏｍｐｕｔｅｒ  Ｔｏ  Ｐｌａｔｅ）描画機７２を有し、このＣＴＰ描画機７２はレーザー彫刻機２０（図３参照）を具備する。この印刷版製造装置６２では、ＲＩＰ装置６１（露光量データ生成部７０）から供給される露光量データに基づいて、ＣＴＰ描画機７２によるレーザー彫刻処理がフレキソ版材（合成樹脂、ゴム等の弾性材）に対して施され、印刷対象の画像を反映したレリーフ５０が形成されたフレキソ印刷版１が彫刻製造される。
【００８１】
このようにして製造されるフレキソ印刷版１は、後段に設けられるフレキソ印刷機１０（図１及び図２参照）において使用され、被印刷媒体３上に所望画像を転写印刷するのに用いられる。
【００８２】
なお、本例のフレキソ印刷システム６０には、ユーザが設定した「印刷時の所望印圧（設定印圧）のデータ」が入力され、ＲＩＰ装置６１及び印刷版製造装置６２（例えばＲＩＰ処理部６６、設定印圧取得部）においてその設定印圧が取得される。ユーザによる設定印圧の入力は任意の手法によって行うことができ、例えば所定の標準設定印圧をデフォルト設定値とし、ユーザが必要に応じてその「標準設定印圧からのずらし量」を指定するようにしてもよい。また、フレキソ印刷システム６０に入力される設定印圧は、画像データ等と共にＲＩＰ装置６１及び印刷版製造装置６２の各部に送られるようにしてもよいし、画像データ等とは別個に、設定印圧データを必要とする各部に送られるようにしてもよい。
【００８３】
図１０は、図９の露光量データ生成部７０の一構成例を示す機能ブロック図である。
【００８４】
露光量データ生成部７０は、突起部高さデータ変換部７４、彫刻形状データ変換部７６、彫刻形状データ補正部７８及び露光量データ変換部８０を含む。
【００８５】
突起部高さデータ変換部７４は、スクリーニング処理部６８からの２値画像データを、レリーフ５０の高さ（突起部の高さ）の二次元分布を表す突起部高さデータに変換する。
【００８６】
彫刻形状データ変換部７６は、突起部高さデータ変換部７４から供給された突起部高さデータを、より高解像度な彫刻形状データ（レリーフパターンデータ）に変換する。この彫刻形状データは、突起部の三次元形状を再現するために、突起部高さデータを二次元補
間することで得られるデータであり、フレキソ版材Ｆの深さ方向の距離を示す深さデータとすることも可能である。
【００８７】
このように、本例では、突起部高さデータ変換部７４及び彫刻形状データ変換部７６によって「画像データに基づいてレリーフパターンデータを算出するレリーフ算出部」が構成される。
【００８８】
彫刻形状データ補正部７８は、フレキソ印刷版１の印圧分布に基づいて、彫刻形状データ（レリーフパターンデータ）を補正する。なお、彫刻形状データ補正部７８の詳細については後述する（図１１参照）。
【００８９】
露光量データ変換部８０は、彫刻形状データ補正部７８によって補正された彫刻形状データ（レリーフパターンデータ）を、フレキソ版材Ｆに対する露光光量に応じた露光量データに変換する。なお、露光量データ変換部８０（露光量データ生成部７０）は、本例ではＲＩＰ装置６１（図９参照）の一部として設けられているが、印刷版製造装置６２側に設けられてもよい。
【００９０】
このようにして補正彫刻形状データ（レリーフパターンデータ）から露光量データが算出され、この算出された露光量データに基づいて、印刷版製造装置６２（図９参照）では、フレキソ版材Ｆ（フレキソ印刷版１）にレリーフ５０が形成される。
【００９１】
なお、フレキソ印刷版１の印圧分布に基づくデータ補正は種々の方法で行うことができ、印圧分布に基づいて算出したデータ補正量を彫刻形状データに反映させてもよいし、露光量データに反映させてもよい。彫刻形状データにデータ補正量を反映させる場合には、補正量を含む彫刻形状データが露光量データに変換され、その変換された露光量データを使って露光処理が行われる。一方、露光量データにデータ補正量を反映させる場合には、「（データ補正量が反映されていない）彫刻形状データに基づく露光量データ」と「データ補正量自体に基づく露光量データ」とが算出され、両者から「データ補正量が反映された露光量データ」が算出される。以下の図１１に示す例では、彫刻形状データにデータ補正量を反映させるケースについて説明する。
【００９２】
図１１は、図１０の彫刻形状データ補正部７８の一構成例を示す機能ブロック図である。
【００９３】
彫刻形状データ補正部７８は、印圧分布推定部８２、補正量算出部８４及びデータ補正部８６を含む。
【００９４】
印圧分布推定部８２は、彫刻形状データ（画像データ）に基づいて、印刷時に被印刷媒体３に押し当てられたフレキソ印刷版１の印圧分布を推定する。なお、印圧分布推定部８２は、彫刻形状データに変換前の画像データに基づいて印圧分布を推定してもよいし、彫刻形状データに基づいて印圧分布を推定してもよい。印圧分布をより精密に計算する場合や彫刻装置（印刷版製造装置６２）の特性によって１ビット画像通りにレリーフ形状を彫刻形成できない場合には、実際に彫刻される形状を表す彫刻形状データに基づいて印圧分布が推定されることが好ましい。
【００９５】
補正量算出部８４は、「印圧分布推定部８２によって推定された印圧分布」及び「ユーザによって設定される所望の印圧（設定印圧）」に基づいて、彫刻形状データ（レリーフパターンデータ）の補正量を算出する。なお、補正量の具体的な算出例については後述する（図１８参照）。
【００９６】
データ補正部８６は、補正量算出部８４によって算出された補正量に基づき、彫刻形状データ変換部７６において求められた彫刻形状データ（レリーフパターンデータ）を補正する。
【００９７】
上述のようにしてデータ補正量が反映された彫刻形状データ及び露光量データが算出され、この露光量データに基づいてフレキソ版材Ｆにレリーフ５０が形成されるが、本例では、フレキソ版材Ｆに形成されるレリーフ５０は、「画像データに基づく画像レリーフ」と、「フレキソ印刷版１と被印刷媒体３との間の印圧の管理指標となる印圧管理チャートを印刷するための印圧管理レリーフ」とを含む。
【００９８】
図１２及び図１３は、フレキソ印刷システム６０におけるデータの流れを例示する図である。上述のようにフレキソ印刷システム６０（図９参照）において、入力画像データは、ラスタ画像データＤ１、２値画像データＤ２、突起部高さデータＤ３、彫刻形状データＤ４及び露光量データＤ５というデータ形式（画像レリーフデータ）に、順次変換される。そして、この画像レリーフデータ（露光量データＤ５）に基づいて、入力画像データを印刷再現するためのレリーフ（画像レリーフ１２）が、ＣＴＰ描画機７２によってフレキソ版材Ｆ（フレキソ印刷版１）に露光彫刻される。
【００９９】
また、本例のフレキソ印刷システム６０では、入力された設定印圧に基づいて「印圧管理レリーフデータ」が作られ、この印圧管理レリーフデータに基づき、ＣＴＰ描画機７２によりフレキソ印刷版１に印圧管理レリーフ１４（後述の図１４参照）が露光彫刻される。
【０１００】
なお、印圧管理レリーフデータ（露光量データＤ５）は任意の手法によって得ることが可能である。例えば、図１２に示すように、画像データに基づく画像レリーフデータと共に各種のデータ形式に変換され、画像レリーフデータと同様の画像処理を経て、印圧管理レリーフデータ（露光量データＤ５）が得られてもよい。また、図１３に示すように、入力された設定印圧のデータから直接的に印圧管理レリーフデータ（露光量データＤ５）が求められてもよい。この場合、露光量データ変換部８０（図１０参照）が、入力された設定印圧に対応する印圧管理レリーフデータを求め、画像データから算出される画像レリーフデータと印圧管理レリーフデータとをデータ合成して、後段の印刷版製造装置６２（ＣＴＰ描画機７２）に送る。
【０１０１】
印刷版製造装置６２（ＣＴＰ描画機７２）では、送られてきた画像レリーフデータ及び印圧管理レリーフデータの露光量データに基づいて露光彫刻処理が行われ、画像レリーフ１２及び印圧管理レリーフ１４が形成された印圧管理レリーフ１４が作られる。
【０１０２】
図１４は、フレキソ印刷版１の平面図であり、画像レリーフ１２及び印圧管理レリーフ１４の配置関係の一例を示す。
【０１０３】
図１４に示す例のように、フレキソ印刷版１の中央部付近に画像レリーフ１２を設けて、フレキソ印刷版１の端部（隅部）に印圧管理レリーフ１４を設けてもよい。この場合、このフレキソ印刷版１によって被印刷媒体３上に印刷再現される画像も、被印刷媒体３の中央部付近に画像レリーフ１２による画像（画線部）が印刷され、被印刷媒体３の端部（隅部）に印圧管理レリーフ１４による画像（印圧管理チャート）が印刷される。
【０１０４】
なお、画像レリーフ１２及び印圧管理レリーフ１４の配置関係は、特に限定されない。例えば図１５に示すように、画像レリーフ１２を挟み込むように、フレキソ印刷版１の両端部に印圧管理レリーフ１４を形成してもよく、画像レリーフ１２の周辺部において複数の印圧管理レリーフ１４を連続的に並置するように形成してもよい。
【０１０５】
画像レリーフ１２は、入力画像データに対応する所望画像が被印刷媒体３に転写印刷されるような形状（網点、凸細線、ベタ、白抜き等）を有する。
【０１０６】
一方、印圧管理レリーフ１４は、印刷時の印圧を管理可能な印圧管理チャートを被印刷媒体３に適切に印刷することができれば、どのような形状であってもよい。したがって、印圧管理レリーフ１４は、実際の印刷が設定印圧によって行われたか否かをユーザが容易に把握することが可能な印圧管理チャートを印刷するものであることが好ましい。
【０１０７】
したがって、例えば、所定深さを有する凹部によって印圧管理レリーフ１４を形成してもよい。この場合、印圧管理レリーフ１４が設定印圧によって被印刷媒体３に押し当てられた際に、印圧管理レリーフ１４の凹部内に付着するインクが被印刷媒体３に転写印刷されるような深さに、印圧管理レリーフ１４（凹部）を形成することが好ましい。この場合、被印刷媒体３上に画像（画線部）と共に印圧管理チャートが印刷されたか否かによって、ユーザは、印刷時の実際の印圧を推測することができる。
【０１０８】
また、印圧管理レリーフ１４は、複数のレリーフ部によって構成されてもよく、被印刷媒体３にインクが転写付着（印刷）される印圧をレリーフ部毎に変えてもよく、例えば凹部によって複数のレリーフ部を構成する場合には凹部深さをレリーフ部間で変えてもよい。この場合、「設定印圧が掛かった場合に、被印刷媒体３へのインク転写が行われるレリーフ部」に加え、「設定印圧より大きな印圧が掛かった場合に、被印刷媒体３へのインク転写が行われるレリーフ部」及び／又は「設定印圧より小さな印圧が掛かった場合に、被印刷媒体３へのインク転写が行われるレリーフ部」を印圧管理レリーフ１４が含むことが好ましい。この場合、ユーザは被印刷媒体３上の印圧管理チャートの印刷状態を視認することで、印刷時にフレキソ印刷版１に実際に掛かった印圧が「設定印圧か否か」及び「設定印圧よりも大きいか／小さいか否か」を推測することができる。
【０１０９】
なお、印圧管理レリーフ１４に複数のレリーフ部が含まれる場合、これらのレリーフ部は相互に分離していてもよいし、相互に結合していてもよい。
【０１１０】
例えば、相互に分離した「設定印圧が掛かった場合に被印刷媒体３へのインク転写が行われるレリーフ部」、「設定印圧より大きな印圧が掛かった場合に被印刷媒体３へのインク転写が行われるレリーフ部」及び「設定印圧より小さな印圧が掛かった場合に被印刷媒体３へのインク転写が行われるレリーフ部」を印圧管理レリーフ１４が含む場合には、以下のようにして印圧を評価することができる。すなわち、被印刷媒体３上に転写印刷された印圧管理チャートが１つの部分から成る場合には「印圧が設定印圧よりも小さい」と判別でき、印圧管理チャートが２つの部分から成る場合には「印圧が設定印圧である」と判別でき、印圧管理チャートが３つの部分から成る場合には「印圧が設定印圧よりも大きい」と判別できる。また、相互に結合したレリーフ部によって印圧管理レリーフ１４が構成される場合にも、印圧管理チャートの印刷状態から、印圧の大きさを推測することが可能である。
【０１１１】
このように、設定印圧に相当する印圧が掛かった場合に被印刷媒体３上に印刷される印圧管理チャートの濃度が顕著に増加する等のように、作用印圧が適圧であるか否かを示す印圧管理チャートが印圧管理レリーフ１４によって印刷されることが好ましい。
【０１１２】
図１６は、彫刻形状データ補正部７８及び露光量データ変換部８０における処理の流れの概略を示すフローチャートであり、彫刻形状データに変換する前の画像データに基づいて印圧分布を推定する例を示す。
【０１１３】
本例では、印圧分布推定部８２（図１１参照）において、彫刻形状データに変換前の画像データ（後述の図３８に示す１ビット画像データ例参照）に基づき、フレキソ印刷版１の印圧分布の計算が行われる（図１６のＳ１０）。
【０１１４】
そして、この印圧分布の計算結果及び設定印圧から彫刻形状データの補正量が補正量算出部８４において算出され、算出された補正量に基づく彫刻形状データの補正がデータ補正部８６において行われる（Ｓ１１）。
【０１１５】
そして、印圧分布及び設定印圧が加味されて補正された彫刻形状データが、露光量データ変換部８０において露光量データに変換され（Ｓ１２）、この露光量データは印刷版製造装置６２（図９参照）に送られる。
【０１１６】
上述の一連のプロセス（Ｓ１０〜Ｓ１２）によって、印圧分布を考慮した彫刻形状を持つレリーフ５０を、フレキソ印刷版１上に精度良く形成するための露光量データを算出することができる。なお、画像レリーフデータ及び印圧管理レリーフデータが同じ画像処理を受ける場合（図１２参照）には、上述の一連のプロセス（Ｓ１０〜Ｓ１２）によって、画像レリーフデータ及び印圧管理レリーフデータの露光量データを適切に算出することができる。一方、設定印圧の入力データから印圧管理レリーフの露光量データを直接的に算出する場合（図１３参照）には、上述の一連のプロセス（Ｓ１０〜Ｓ１２）によって求められる「画像レリーフデータ」と、設定印圧の入力データから別個に求められた「印圧管理レリーフデータ」とが合成されて、「画像レリーフデータ及び印圧管理レリーフデータの露光量データ」が算出される。
【０１１７】
図１７は、彫刻形状データ変換部７６、彫刻形状データ補正部７８及び露光量データ変換部８０における処理の流れの概略を示すフローチャートであり、彫刻形状データに基づいて印圧分布を推定する例を示す。
【０１１８】
突起部高さデータ変換部７４（図１０参照）によって突起部高さデータ（レリーフパターンデータ）が得られると、彫刻形状データ変換部７６において突起部高さデータ（画像データ）から彫刻形状データが変換算出される（図１３のＳ２０）。
【０１１９】
そして、得られた彫刻形状データに基づいて、フレキソ印刷版１の印圧分布の計算が印圧分布推定部８２において行われる（Ｓ２１）。そして、印圧分布及び設定印圧に基づく彫刻形状データの補正量の算出及び補正の実行が補正量算出部８４及びデータ補正部８６において行われ（Ｓ２２）、補正された彫刻形状データが露光量データ変換部８０（図１０参照）において露光量データに変換される（Ｓ２３）。
【０１２０】
次に、フレキソ印刷版１の印圧分布に基づく彫刻形状データの補正量の算出例について説明する。
【０１２１】
図１８は、画像データ（彫刻形状データ）に基づいて印圧分布を計算し、この印圧分布に基づく補正量を算出するプロセスの一例を説明するフローチャートである。なお、図１８のフローにおける各処理は、主として彫刻形状データ補正部７８の補正量算出部８４（図１１参照）において行われるが、必要に応じて他部により処理の一部が行われてもよい。
【０１２２】
フレキソ印刷版１の印圧分布が及ぼす影響範囲は、「フレキソ印刷版１の版硬度（ショアＡ）」と「フレキソ印刷版１の粘弾性」によって変動する。したがって、「彫刻形状データの補正量の算出の基礎とする印圧分布範囲（所定範囲）」であるＲＯＩ（Ｒｅｇｉｏｎ  ｏｆ  Ｉｎｔｅｒｅｓｔ）のサイズは、フレキソ印刷版１の版硬度及び粘弾性に基づ
いて決められることが望ましい。そこで、まず、予め求められメモリ等に保存されているフレキソ印刷版１の版硬度及び粘弾性に基づいて、ＲＯＩ（印圧分布範囲）が決定される（図１８のＳ３０）。
【０１２３】
図１９は、ＲＯＩを説明するための画像例を示す図である。ＲＯＩは、画像内の注目位置（注目画素）を中心とした所定範囲の領域によって構成され、ＲＯＩ内の印圧分布に基づいて、注目位置のレリーフ彫刻（彫刻形状データ）の補正量が算出される。したがって、ＲＯＩは画像中の位置毎に設定され、画像内で注目位置を順次変えながら、後述の「ＲＯＩ内の印圧分布に基づく注目位置のレリーフ彫刻の補正量算出」が行われる。例えば、フレキソ印刷版１の版硬度（ショアＡ）が７９°で粘弾性が１５ＭＰａ程度であって、図１９に示すような円形のＲＯＩが適用される場合には、ＲＯＩのサイズ（直径）を５００μｍ〜３０００μｍの範囲に設定してもよい。なお、図１９に示す例では注目位置を中心とした円形状のＲＯＩが設定されるが、ＲＯＩのサイズ及び形状は特に限定されない。
【０１２４】
次に、ＲＯＩ範囲における被印刷媒体３に対するフレキソ印刷版１の接地面積率（接触面積比率）が算出される（図１８のＳ３１）。
【０１２５】
すなわち、「ＲＯＩ全体の面積」に対する「印刷時にＲＯＩ内において被印刷媒体３と接触するレリーフ部分であって、被印刷媒体３に対するフレキソ印刷版１の支えに相当するレリーフ部分の面積（接触面積）」の比率（ＲＯＩ内の接地面積率）Ｓ１が算出される。例えば、ＲＯＩ内のすべての範囲が白抜き領域である場合には、フレキソ印刷版１（レリーフ５０）と被印刷媒体３とは接触しないので、Ｓ１はゼロとなる（Ｓ１＝０）。一方、ＲＯＩ内のすべての範囲がベタ領域である場合には、フレキソ印刷版１（レリーフ５０）と被印刷媒体３とはＲＯＩ内のすべての範囲で接触するので、Ｓ１は１となる（Ｓ１＝１）。
【０１２６】
また、図示していないがＲＯＩとは別に、「注目画素の近傍（線数ピッチ相当）の範囲（以下、「近傍範囲」とも呼ぶ）全体の面積（近傍面積）」に対する「印刷時にこの近傍範囲内において被印刷媒体３と接触するレリーフ部分の面積」の比率（注目画素近傍内の接地面積率）Ｓ２が算出される。なお、この近傍範囲は、ＲＯＩ範囲よりも狭くなるように設定される。
【０１２７】
そして、上述の「ＲＯＩ内の接地面積率Ｓ１」及び「注目画素近傍内の接地面積率Ｓ２」の比率Ｓ（Ｓ＝Ｓ２／Ｓ１）が計算される。
【０１２８】
例えば、ＲＯＩ内において印圧分布（接触率）が均一な場合には、「ＲＯＩ内の接地面積率Ｓ１」と「注目画素近傍内の接地面積率Ｓ２」とが等しくなり（Ｓ１＝Ｓ２）、比率Ｓは１になる（Ｓ＝Ｓ２／Ｓ１＝１）。一方、ＲＯＩ内（特に「ＲＯＩ内且つ近傍範囲外」）において白抜き領域が増える程、「ＲＯＩ内の接地面積率Ｓ１」は１よりも小さくなって０に近づき（Ｓ１＜＜１）、比率Ｓは１よりも大きくなる（Ｓ＝（Ｓ２／Ｓ１）＞＞１）。また、ＲＯＩ内（特に「ＲＯＩ内且つ近傍範囲外」）においてベタ領域（網点面積率）が増える程、「ＲＯＩ内の接地面積率Ｓ１」は１に近づき（Ｓ１≒１）、「注目画素近傍内の接地面積率Ｓ２」は１以下（Ｓ２≦１）となり、比率Ｓは１以下になって０に近づく（Ｓ＝（Ｓ２／Ｓ１）≦１）。
【０１２９】
次に、注目位置（注目画素）のレリーフの種類が判定され、まず、注目位置が網点に相当する領域か否かが判定される（図１８のＳ３２）。この判定は、画像データ（彫刻形状データ）に基づいて、注目位置（注目画素）毎に行われる。
【０１３０】
注目位置が網点に相当する領域の場合（Ｓ３２のＹＥＳ）、「基準網点の接地面積率」
に対する「注目位置の接地面積率」の比率、すなわち上述の「ＲＯＩ内の接地面積率Ｓ１」及び「注目画素近傍内の接地面積率Ｓ２」の比率Ｓ（Ｓ＝Ｓ２／Ｓ１）から、彫刻形状データの補正量が求められる（Ｓ３３）。
【０１３１】
上記の比率Ｓは、「ＲＯＩ内の接地面積率Ｓ１」に対する「注目位置近傍の接地面積率Ｓ２」の相違を示す指標である。したがって、「ＲＯＩ内の接地面積率Ｓ１」を「基準網点の接地面積率」とした場合に、この「基準網点の接地面積率」（すなわち、注目位置の周囲の接地面積率）に比べて「注目位置の接地面積率」がどの程度異なっているかが、比率Ｓによって表されることとなる。なお、基準値となる「Ｓ＝１」は、「注目位置の接地面積率」が「周囲（ＲＯＩ内）の接地面積率」と同じことを示し、注目位置が周囲と同じ接地面積率（同じレリーフ形状）を有することを間接的に示す。
【０１３２】
図２０は、「ＲＯＩ内の接地面積率Ｓ１」及び「注目画素近傍内の接地面積率Ｓ２」の比率Ｓと「網点用の彫刻形状データの補正量」との関係の一例を示す図である。図２０において、横軸は上記の「比率Ｓ」（近傍範囲／ＲＯＩの接地面積率）を示し、縦軸は「彫刻形状データの補正量」を示す。また、横軸と縦軸の交点は基準値を表し、近傍範囲／ＲＯＩの接地面積比率Ｓが１（Ｓ＝１）の場合を示す。
【０１３３】
上述のように、「ＲＯＩ内の接地面積率Ｓ１」及び「注目画素近傍内の接地面積率Ｓ２」の比率Ｓは、ＲＯＩ内の接地面積率が均一であれば１になる（図２０の「基準値」参照）。一方、「注目画素近傍内の接地面積率Ｓ２」が「ＲＯＩ内の接地面積率Ｓ１」よりも大きくなる程、比率Ｓの値は１よりも大きくなり、「注目画素近傍内の接地面積率Ｓ２」が「ＲＯＩ内の接地面積率Ｓ１」よりも小さくなる程、比率Ｓの値は１よりも小さくなる。したがって、図２０の例によれば、注目位置（注目画素）の接触面積比率が周囲（ＲＯＩ内）よりも大きくなる程（周囲が白抜き領域に近づく程）、比率Ｓが基準値よりも大きくなり、比率Ｓが基準値よりも大きくなるほど「基準よりも大きな印圧が作用する」ことを考慮した「彫刻形状データの補正量」が大きくなり、例えば接地面積やレリーフ高さが減じられる。一方、注目位置（注目画素）の接触面積比率が周囲（ＲＯＩ内）よりも小さくなる程（周囲がベタ領域に近づく程）、比率Ｓが基準値よりも小さくなり、比率Ｓが基準値よりも小さくなるほど「基準よりも小さな印圧が作用する」ことを考慮した「彫刻形状データの補正量」が大きくなり、例えば接地面積やレリーフ高さが増大される。
【０１３４】
なお、図２０に示されるような「彫刻形状データの補正量」を表すデータは、使用するシステム（フレキソ印刷システム６０）に応じて定められる。したがって、使用システムに応じてレリーフの種類毎に予め求められた「ＲＯＩ内の接地面積率Ｓ１」及び「注目画素近傍内の接地面積率Ｓ２」の比率Ｓに対する「彫刻形状データの補正量」のデータは、図示しない所定のメモリ等に記憶され、「彫刻形状データの補正量」の算出時に適宜読み出されて用いられる。
【０１３５】
また、注目位置が網点の場合には、網点面積率（網点濃度：網点パーセント）に応じて、図２０に示されるような「接地面積率の相対比率−彫刻形状データの補正量」の特性が変更決定されることが望ましい。これは、網点パーセントが高い網点（特に網点面積率が５０パーセント以上の網点）の場合には、印刷時におけるフレキソ印刷版１のレリーフ５０の変形が比較的小さいが、網点パーセントが低い網点の場合には印刷時におけるフレキソ印刷版１のレリーフ５０の変形が比較的大きいためである。
【０１３６】
そして、上述のように接地面積の比率Ｓに基づいて彫刻形状データの補正量が求められた後に、更に設定印圧に基づいて彫刻形状データの補正量が求められる（図１８のＳ３４）。
【０１３７】
ここで最も簡単な例としては、「設定印圧が標準値より大きい場合」は補正量を増加し、「設定印圧が標準値より小さい場合」は補正量を減少する。これは、印圧が大きくなるほどレリーフ５０の歪みが大きくなるため、彫刻形状データの補正量も大きくすることが好ましいためである。なお、ここでいう標準値は、予め定められた所定の印圧値であり、フレキソ印刷システム６０（図９）の出荷時にメーカ側で定めた任意の印圧値（デフォルト設定値）を標準値としてもよいし、ユーザ側で定めた任意の印圧値（デフォルト設定値）を標準値としてもよい。上述の「接地面積比率Ｓに基づく補正量」は、印圧がこの標準値であると仮定して、算出される（Ｓ３３）。
【０１３８】
また別の例としては、上述の「接地面積比率Ｓに基づく補正量の算出（Ｓ３３）」と「設定印圧に基づいて彫刻形状データの補正量の算出（Ｓ３４）」とを組み合わせることも可能である。例えば、接地面積比率Ｓに基づく補正量の算出時（Ｓ３３）に、図２０に示すような「接地面積率の相対比率−彫刻形状データの補正量」の特性データ（テーブル）を使う場合、この特性データの「基準値」を設定印圧に基づいて定めてもよい。すなわち、「接地面積率の相対比率−彫刻形状データの補正量」の特性データ（テーブル）が設定印圧に基づいて修正され、修正された特性データに基づいて彫刻形状データの補正量が求められる。この場合、特性データの「基準値」は設定印圧に対応し、設定印圧毎に彫刻形状データの押し込み量（印圧）に関連する補正量が変更されるため、「接地面積比率Ｓ」及び「設定印圧」の両者が加味された特性データから、彫刻形状データの補正量を算出することができる。
【０１３９】
このようにして、注目位置が網点の場合の「彫刻形状データの補正量」が算出される。一方、注目位置が凸細線の場合も同様にして「彫刻形状データの補正量」が算出される。
【０１４０】
すなわち、注目位置が網点ではなく（図１８のＳ３２のＮＯ）、凸細線に相当する領域であると判定される場合（Ｓ３５のＹＥＳ）、「基準凸細線の接地面積率」に対する「注目位置の接地面積率」の比率、すなわち上述の「ＲＯＩ内の接地面積率Ｓ１」及び「注目画素近傍内の接地面積率Ｓ２」の比率Ｓ（Ｓ＝Ｓ２／Ｓ１）から、彫刻形状データの補正量が求められる（Ｓ３６）。また、設定印圧に基づいて彫刻形状データの補正量が求められる（Ｓ３７）。
【０１４１】
なお、この場合の彫刻形状データの補正量の算出の基礎となる「接地面積率の相対比率−彫刻形状データの補正量」の特性は、注目位置が凸細線の場合の特性が用いられ、注目位置が網点の場合の特性（図２０参照）とは異なるものとなる。
【０１４２】
一方、注目位置が凸細線ではなく（Ｓ３５のＮＯ）、ベタに相当する領域であると判定される場合（Ｓ３８のＹＥＳ）、補正量の算出は行われず、データ補正部８６（図１１参照）における彫刻形状データの補正は行われずスキップされる。これは、ベタ領域では、全面にわたってフレキソ印刷版１と被印刷媒体３とが接触するため、彫刻形状データの補正が不要であるからである。
【０１４３】
そして、注目位置が網点、凸細線及びベタのいずれでもないと判定される場合には（Ｓ３８のＮＯ）、「その他の基準面積の接地面積率」に対する「注目位置の接地面積率」の比率、すなわち上述の「ＲＯＩ内の接地面積率Ｓ１」及び「注目画素近傍内の接地面積率Ｓ２」の比率Ｓ（Ｓ＝Ｓ２／Ｓ１）から、彫刻形状データの補正量が求められる（Ｓ３９）。また、設定印圧に基づいて彫刻形状データの補正量が求められる（Ｓ４０）。
【０１４４】
なお、この場合の彫刻形状データの補正量の算出の基礎となる「接地面積率の相対比率−彫刻形状データの補正量」の特性は、注目位置が網点の場合の特性（図２０参照）や凸細線の場合の特性とは異なるものとなる。
【０１４５】
上述の彫刻形状データの補正量算出時（図１８のＳ３３、Ｓ３６、Ｓ３９参照）に使用される「接地面積率の相対比率−彫刻形状データの補正量」の特性は、ＲＯＩサイズと同様に、注目位置が網点、凸細線、或いはそれ以外のいずれの場合においても、使用するフレキソ印刷版１（フレキソ版材Ｆ）の版硬度と粘弾性とに応じて定められる特性とすることが望ましい。
【０１４６】
上述のようにして彫刻形状データの補正量が決定されると、彫刻形状データ補正部７８のデータ補正部８６（図１１参照）において、決定された補正量に基づき彫刻形状データが補正される。
【０１４７】
なお、データ補正部８６を露光量データ変換部８０と一体的に設けてもよく、印圧分布及び設定印圧に基づいて求められる「データ補正量」が、彫刻形状データに対して直接的に反映されるのではなく、間接的に、露光量データに対して反映されるようにしてもよい。
【０１４８】
図２１は、形状補正を実現する露光テーブルの一例を示す表（変換テーブル）であり、「彫刻形状データの補正量（「補正量１」〜「補正量５」）」及び「注目位置（注目画素）のレリーフ種類」に対して「露光テーブル（「網点」、「凸細線」及び「その他」における「露光テーブル１」〜「露光テーブル５」）」が対応づけられている。
【０１４９】
データ補正部８６を露光量データ変換部８０と一体的に設ける場合、例えば図２１に示すように、決定した「彫刻形状データの補正量」の各々（図２１の「補正量１」〜「補正量５」参照）に対応する露光量データが、「網点」、「凸細線」及び「その他」の場合のそれぞれに対して予め定められていてもよい（「露光テーブル１」〜「露光テーブル５」）。この場合、露光量データ変換部８０では、図２１のような変換テーブルに基づき、注目位置が網点、凸細線、ベタ、その他の場合のそれぞれに対し、補正量が反映された露光量データを算出することができる。このようにして算出される「補正量が反映された露光量データ」に基づいて、印刷版製造装置６２ではフレキソ印刷版１の適切なレリーフ彫刻形成を行うことができる。なお、彫刻装置（印刷版製造装置６２）に応じた彫刻アルゴリズムに基づく露光量データの変換算出過程において、図２１に示すような変換テーブルに格納される数値（補正反映値：露光テーブル）を補正前の露光量データ（補正前の彫刻形状データから導き出される露光量データ）に乗じることで、「補正量が反映された露光量データ」を算出するようにしてもよい。
【０１５０】
また、「設定印圧に基づく露光量データ」が「画像データに基づく露光量データ」とは別個に求められるケースでは、露光量データ生成部７０は、設定印圧に基づいて印圧管理レリーフ（印圧管理チャート）を決定し（図２２のＳ５０）、この決定した印圧管理レリーフ（印圧管理チャート）を露光量データに変換する（Ｓ５１）。
【０１５１】
この場合、設定印圧毎に対応の露光量データを予め定めておき、入力された設定印圧に応じて対応の露光量データを読み出して、フレキソ印刷版１に印圧管理レリーフ１４が形成されるようにしてもよい。例えば図２３に示すように、複数の設定印圧（「設定印圧１」〜「設定印圧５」）の各々に対して露光量データ（「印圧管理チャート露光テーブル１」〜「印圧管理チャート露光テーブル５」）を割り当てておき、入力された設定印圧に対応する露光量データが読み出されて使われるようにしてもよい。
【０１５２】
なお、印圧管理レリーフの決定（図２２のＳ５０）は彫刻形状データの作成によって行われ、「画像データに基づく露光量データ」と「設定印圧に基づく露光量データ」とを別個に作成してから合成してもよいし、「画像データに基づく彫刻形状データ」と「設定印
圧に基づく彫刻形状データ」とを合成した後に露光量データに変換してもよい。
【０１５３】
＜第２の実施形態＞
上述の第１の実施形態と同一又は類似の構成については同一の符号を付し、詳細な説明は省略する。
【０１５４】
＜印圧分布と印刷結果の関係＞
上述のように、フレキソ印刷版１に掛かる印圧は、注目位置のレリーフ５０の種類（白抜き、網点、凸細線、ベタ等）及び周辺のレリーフ５０の種類によって左右されるが、フレキソ印刷版１の版厚の影響も受ける。すなわち、画像印刷時におけるフレキソ印刷版１の押し下げ量及び印圧は、フレキソ印刷版１が本来的に有する版厚の影響も受け、版厚が厚い部分では版厚が薄い部分よりも「押し下げ量」及び「印圧」が大きくなる。
【０１５５】
図２４は、フレキソ印刷版１の版厚分布の一例を示す図である。図２４では、濃い部分ほど版厚が薄いことを示し、白（ブランク）に近い部分ほど版厚が厚いことを示す。本例では、版厚が「上部」、「中央部」、「下部」の順に厚い部分から薄い部分に変化しており、「押し下げ量」及び「印圧」が、「上部」、「中央部」、「下部」の順に大から小の値を示す。
【０１５６】
図２５は、図４及び図２４に示すフレキソ印刷版１の領域（矢印Ａ方向の位置）と、印刷時の押し下げ量との関係の一例を示す図である。図２６は、図４及び図２４に示すフレキソ印刷版１の領域（矢印Ａ方向の位置）と、印刷時の印圧との関係の一例を示す図である。なお、図２５及び図２６には、図４に示すフレキソ印刷版１の「白抜き領域」、「網点領域」及び「ベタ領域」の各々に同じ大きさの荷重が一様に加えられている場合の関係が示されている。また、図２５及び図２６には、図４及び図２４の「上部」、「中央部」及び「下部」の表示で示された断面線に沿った「押し下げ量」及び「印圧」の変化が示されている。
【０１５７】
図２４の版厚分布を有するフレキソ印刷版１では、版上部の版厚が相対的に大きく、版下部の版厚が相対的に小さいため、図２５及び図２６に示すように、版上部の押し下げ量及び印圧が相対的に大きく、版下部の押し下げ量及び印圧が相対的に小さくなる。このように版厚は押し下げ量及び印圧の大きさに影響を与え、網点領域や凸細線領域では、版厚が厚い部分（図４及び図２４の「上部」参照）の印刷画像は濃く（太く）なり、版厚が薄い部分（図４及び図２４の「下部」参照）の印刷画像は薄く（細く）なる。
【０１５８】
図２７は、図４及び図２４に示すフレキソ印刷版１によって通常の印刷が行われた場合の、実際の印刷画像が示された被印刷媒体３の平面図である。理想的な状態での印刷（図７参照）とは異なり、実際の印刷では、図２７に示すように、周辺領域のレリーフ種類の影響及びフレキソ印刷版１の版厚分布（版高さ分布）の影響を受ける。すなわち、周辺領域のレリーフ種類によって網点領域の小点の変形程度が異なることと、版の厚みバラツキによって版表面の高さが異なることが原因で、被印刷媒体３上の印刷状態は印圧の偏りの影響を受ける。
【０１５９】
さらに、ユーザ側で印刷時の設定印圧を変更する場合、この設定印圧の変更も、フレキソ印刷版１の印圧及び押し下げ量に影響を与える。このように、注目エリアの印刷状態は周辺エリアの彫刻形状分布（レリーフ種類）及び版厚分布によって左右されるため、通常方式のフレキソ印刷では、ユーザの意図通りの印刷結果が得られないことがある。
【０１６０】
本件発明者は、このような印圧分布及び設定印圧と印刷状態との関係に注目し、印圧分布及び設定印圧に応じた版変形を加味して印刷版のレリーフ（彫刻形状）を決定し、被印
刷媒体（被印刷体）上で良好に画像再現することができる技術を新たに見出した。すなわち、印刷対象となっている画像データ及び版厚分布を解析してフレキソ印刷版１に掛かる印圧分布を推定し、この推定した「印圧分布」及び「ユーザが設定した所望の印圧（設定印圧）」に基づくフレキソ印刷版１の変形を加味した彫刻形状の決定（補正）を行うことで、所望画像を被印刷媒体上で正確に印刷再現することが可能である。
【０１６１】
以下、そのような印圧分布に基づく彫刻形状補正を行う印刷装置の一例について説明する。
【０１６２】
＜印刷装置の構成例＞
図２８は、第２の実施形態に係る露光量データ生成部７０の一構成例を示す機能ブロック図である。
【０１６３】
露光量データ生成部７０は、突起部高さデータ変換部７４、彫刻形状データ変換部７６、版厚分布取得部７７、彫刻形状データ補正部７８及び露光量データ変換部８０を含む。
【０１６４】
版厚分布取得部７７は、フレキソ版材Ｆ（フレキソ印刷版１）の版厚分布を示す版厚分布データを取得する。図２８に示す例では、露光量データ生成部７０（ＲＩＰ装置６１）とは別個に設けられた版厚分布測定装置４６によって、レリーフ彫刻対象のフレキソ版材Ｆの厚み（版厚分布）が測定され、その測定結果が版厚分布記憶部４８に記憶されている。版厚分布取得部７７は、版厚分布記憶部４８に記憶されているフレキソ版材Ｆの厚み（版厚分布データ）を読み出して、彫刻形状データ補正部７８に供給する。
【０１６５】
彫刻形状データ補正部７８は、フレキソ印刷版１の印圧分布（彫刻形状データ、版厚分布データ）及び設定印圧に基づいて、彫刻形状データ（レリーフパターンデータ）を補正する。
【０１６６】
なお、突起部高さデータ変換部７４、彫刻形状データ変換部７６及び露光量データ変換部８０は、上述の第１の実施形態（図１０参照）と同様の構成及び作用を有する。また、彫刻形状データ補正部７８は、上述の第１の実施形態と同様に、印圧分布推定部８２、補正量算出部８４及びデータ補正部８６を含んで構成される（図１１参照）。
【０１６７】
印圧分布推定部８２（図１１参照）は、彫刻形状データ（画像データ）及び版厚分布データに基づいて、印刷時に被印刷媒体３に押し当てられたフレキソ印刷版１の印圧分布を推定する。なお、印圧分布推定部８２は、彫刻形状データに変換前の画像データに基づいて印圧分布を推定してもよいし、彫刻形状データに基づいて印圧分布を推定してもよい。印圧分布をより精密に計算する場合や彫刻装置（印刷版製造装置６２）の特性によって１ビット画像通りにレリーフ形状を彫刻形成できない場合には、実際に彫刻される形状を表す彫刻形状データに基づいて印圧分布が推定されることが好ましい。
【０１６８】
補正量算出部８４は、「印圧分布推定部８２によって推定された印圧分布」及び「ユーザによって設定される所望の印圧（設定印圧）」に基づいて、彫刻形状データ（レリーフパターンデータ）の補正量を算出する。データ補正部８６は、補正量算出部８４によって算出された補正量に基づき、彫刻形状データ変換部７６において求められた彫刻形状データ（レリーフパターンデータ）を補正する。
【０１６９】
図２９は、彫刻形状データ補正部７８及び露光量データ変換部８０における処理の流れの概略を示すフローチャートであり、彫刻形状データに変換する前の画像データ及び版厚分布データに基づいて印圧分布を推定する例を示す。図２９に示す例では、画像と版高さ分布に基づいて印圧分布を計算し、印圧分布及び設定印圧に応じて彫刻形状を補正し、更
に版高さによって露光ビーム径が異なるため、目的の彫刻形状が得られるように露光補正・露光変換することで、予め印圧分布を考慮した彫刻形状のレリーフ５０を製造可能とする。
【０１７０】
すなわち本例では、印圧分布推定部８２（図１１参照）において、彫刻形状データに変換前の画像データ（後述の図３８に示す１ビット画像データ例参照）及び版厚分布データに基づき、フレキソ印刷版１の印圧分布の計算が行われる（図２９のＳ６０）。
【０１７１】
そして、この印圧分布の計算結果及び設定印圧から彫刻形状データの補正量が補正量算出部８４において算出され、算出された補正量に基づく彫刻形状データの補正がデータ補正部８６において行われる（Ｓ６１）。そして、露光量データ変換部８０において、版厚分布データに基づく露光補正が彫刻形状データに加えられ（Ｓ６２）、更に露光補正後の彫刻形状データが露光量データに変換される（Ｓ６３）。
【０１７２】
なお、印圧分布に基づくデータ補正量は、露光量データへの変換前のデータ及び変換後のデータのいずれに対して反映されてもよく、上述のように露光量データへの変換前の彫刻形状データを算出補正量に基づいて補正してもよいし、変換後の露光量データを算出補正量に基づいて補正してもよい。
【０１７３】
図３０は、レーザー彫刻機２０のレーザー露光時のレーザー径を示す図である。フレキソ版材Ｆ（フレキソ印刷版１）にレリーフ５０を形成する露光処理で用いられるレーザーＬは、その進行方向（版厚方向）Ｃによってビーム径が変化する。
【０１７４】
すなわち、レーザーＬは、フォーカス位置ｆ０におけるビーム径ｄ０が最小となり、このフォーカス位置ｆ０を基準として、このフォーカス位置ｆ０からの距離（相対的な高さ）に応じてビーム径が大きくなる。例えば図３０に示す例では、版厚方向Ｃに関し、「フォーカス位置ｆｐ（基準フォーカス位置ｆ０からの距離がＴｐ）におけるビーム径ｄｐ」及び「フォーカス位置ｆｑ（基準フォーカス位置ｆ０からの距離がＴｑ）におけるビーム径ｄｑ」は、「Ｔｑ＞Ｔｐ」の場合には「ｄｑ＞ｄｐ」となる。また、レーザーＬのビーム径は、フォーカス位置ｆ０を基準として、その進行方向（版厚方向）Ｃに関して対称性を有する。したがって、基準フォーカス位置ｆ０を挟んで上記のフォーカス位置ｆｐ及びｆｑとは反対側に位置するフォーカス位置ｆｍ及びｆｎに関し、フォーカス位置ｆｍの基準フォーカス位置ｆ０からの距離Ｔｍが「Ｔｍ＝Ｔｐ」を満たす場合、フォーカス位置ｆｍのビーム径ｄｍは「ｄｍ＝ｄｐ」の関係を満たす。同様に、フォーカス位置ｆｎの基準フォーカス位置ｆ０からの距離Ｔｎが「Ｔｎ＞Ｔｍ」の場合、フォーカス位置ｆｎのビーム径ｄｎは「ｄｎ＞ｄｍ」の関係を満たす。
【０１７５】
レーザーＬのビーム径は、レーザーＬの照射範囲や照射強度を左右する要素であるため、レーザーＬを用いた露光処理は、フレキソ版材Ｆ（フレキソ印刷版１）の厚み方向に関して特有の露光特性（ビーム径、照射強度、等）を有することとなる。したがって、露光処理時には、このようなレーザーＬの露光特性も加味することが好ましい。特に、フレキソ版材Ｆ（フレキソ印刷版１）の厚みが一定ではない場合には、レーザーＬの版厚み方向に関する露光特性が加味されることで、レリーフ５０の彫刻精度を向上させることができる。したがって、露光量データ変換部８０では、レーザーＬの版厚み方向に関する露光特性が版厚分布データから導出され、この露光特性が彫刻形状データ／露光量データに反映される（図２９のＳ６２）。
【０１７６】
上述のようにして「印圧分布補正」（Ｓ６１）及び「露光補正」（Ｓ６２）が行われた彫刻形状データは、露光量データ変換部８０において露光量データに変換され（Ｓ６３）、この露光量データは印刷版製造装置６２（図１０参照）に送られる。なお、上述の「版
厚分布データに基づく露光補正（Ｓ６２）」は「露光量データ変換（Ｓ６３）」と共に行われてもよい。すなわち、フレキソ版材Ｆの版厚によって変動する露光特性に基づく製造誤差をキャンセルするように、露光特性を考慮した補正が彫刻形状データの段階で加えられてもよいし、露光量データの段階で加えられてもよい。
【０１７７】
上述の一連のプロセス（Ｓ６０〜Ｓ６３）によって、印圧分布及び設定印圧が考慮された彫刻形状を持つレリーフ５０を、露光特性が加味された露光処理によって、フレキソ版材Ｆ（フレキソ印刷版１）上に精度良く形成するための露光量データを算出することができる。
【０１７８】
図３１は、彫刻形状データ変換部７６、彫刻形状データ補正部７８及び露光量データ変換部８０における処理の流れの概略を示すフローチャートであり、彫刻形状データ及び版厚分布データに基づいて印圧分布を推定する例を示す。なお、図２９と、共通する部分についての説明は省略する。
【０１７９】
突起部高さデータ変換部７４（図２８参照）によって突起部高さデータ（レリーフパターンデータ）が得られると、彫刻形状データ変換部７６において突起部高さデータ（画像データ）から彫刻形状データが変換算出される（図３１のＳ７０）。
【０１８０】
そして、得られた彫刻形状データ及び版厚分布データに基づいて、フレキソ印刷版１の印圧分布の計算が印圧分布推定部８２において行われる（Ｓ７１）。そして、印圧分布及び設定印圧に基づく彫刻形状データの補正量の算出及び補正の実行が補正量算出部８４及びデータ補正部８６において行われ（Ｓ７２）、版厚分布データに基づく露光補正（Ｓ７３）及び露光量データへの変換（Ｓ７４）が露光量データ変換部８０（図２８参照）において行われる。
【０１８１】
次に、フレキソ印刷版１の印圧分布に基づく彫刻形状データの補正量の算出例について説明する。
【０１８２】
図３２は、画像データ（彫刻形状データ）及び版厚分布に基づいて押し込み量（印圧分布）を計算し、この押し込み量（印圧分布）に基づく補正量を算出するプロセスの一例を説明するフローチャートである。なお、図３２のフローにおける各処理は、主として彫刻形状データ補正部７８の補正量算出部８４（図１１参照）において行われるが、必要に応じて他部により処理の一部が行われてもよい。
【０１８３】
フレキソ印刷版１の印圧分布が及ぼす影響範囲は、「フレキソ印刷版１の版硬度（ショアＡ）」と「フレキソ印刷版１の粘弾性」によって変動する。したがって、「彫刻形状データの補正量の算出の基礎とする印圧分布範囲（所定範囲）」であるＲＯＩ（Ｒｅｇｉｏｎ  ｏｆ  Ｉｎｔｅｒｅｓｔ）のサイズは、フレキソ印刷版１の版硬度及び粘弾性に基づいて決められることが望ましい。そこで、まず、予め求められメモリ等に保存されているフレキソ印刷版１の版硬度及び粘弾性に基づいて、ＲＯＩ（印圧分布範囲、図１８参照）が決定される（図３２のＳ８０）。
【０１８４】
次に、ＲＯＩ範囲における被印刷媒体３に対するフレキソ印刷版１の接地面積率（接触面積比率）が算出される（図３２のＳ８１）。
【０１８５】
すなわち、「ＲＯＩ全体の面積」に対する「印刷時にＲＯＩ内において被印刷媒体３と接触するレリーフ部分であって、被印刷媒体３に対するフレキソ印刷版１の支えに相当するレリーフ部分の面積（接触面積）」の比率（ＲＯＩ内の接地面積率）Ｒが算出される。例えば、ＲＯＩ内のすべての範囲が白抜き領域である場合には、フレキソ印刷版１（レリ
ーフ５０）と被印刷媒体３とは接触しないので、面積率は０％になり、Ｒはゼロとなる（Ｒ＝０）。一方、ＲＯＩ内のすべての範囲がベタ領域である場合には、フレキソ印刷版１（レリーフ５０）と被印刷媒体３とはＲＯＩ内のすべての範囲で接触するので、面積率は１００％になり、Ｒは１となる（Ｒ＝１）。したがって、ＲＯＩ内で白抜き領域が多ければＲはゼロに近づき、ＲＯＩ内でベタ領域が多ければＲは１に近づく。
【０１８６】
次に、注目位置（注目画素）のレリーフの種類が判定され、まず、注目位置が網点に相当する領域か否かが判定される（図３２のＳ８２）。この判定は、画像データ（彫刻形状データ）に基づいて、注目位置（注目画素）毎に行われる。
【０１８７】
注目位置が網点に相当する領域の場合（Ｓ８２のＹＥＳ）、網点領域の面積率（接地面積率、網点面積率、網点濃度）Ｒに対応する、注目位置の押し込み量が求められる（Ｓ８３）。
【０１８８】
図３３は、ＲＯＩ内における接地面積率と押し込み量との対応関係の一例を示す図である。
【０１８９】
図３３に示すように、同じ荷重が作用する場合、ＲＯＩ内における接地面積率が大きいほど押し込み量は小さくなり、ＲＯＩ内における接地面積率が小さいほど押し込み量は大きくなる。これは、接触面積が小さいほど、単位面積当たりに掛かる力（印圧）は大きくなり、その印圧の増大に伴って押し込み量も増大するためである。このような「ＲＯＩ内における接地面積率と押し込み量との対応関係」は、予め測定され、図示しないメモリ等に記憶され、必要に応じて適宜読み出されるようになっている。そして、読み出された「ＲＯＩ内における接地面積率と押し込み量との対応関係」に基づいて、網点領域の接地面積率Ｒに対応する、注目位置の押し込み量が求められる。
【０１９０】
このように、本例では、「印圧分布」と関連する「押し込み量」をパラメータとして用いており、この「押し込み量」パラメータを使用することで、画像データに基づいて、被印刷媒体に押し当てられた印刷版の印圧分布を（間接的に）推定している。なお、使用パラメータとして「印圧（印圧分布）」を使用してもよいが、後述の版厚分布データに基づく補正を行う観点から「押し込み量」をパラメータとして使用したほうが演算処理は容易になる。
【０１９１】
このようにして求められる注目位置の押し込み量は、設定印圧に基づいて、データ補正される（図３２のＳ８４）。
【０１９２】
ここで最も簡単な例としては、「設定印圧が標準値より大きい場合」は押し込み量を増加する補正をして、「設定印圧が標準値より小さい場合」は押し込み量を減少する補正をする。これは、印圧が大きくなるほどレリーフ５０の歪みが大きくなるため、設定印圧が標準値よりも大きい場合には、押し込み量は標準よりも大きくなるためである。なお、ここでいう標準値は、予め定められた所定の印圧値であり、フレキソ印刷システム６０（図９）の出荷時にメーカ側で定めた任意の印圧値（デフォルト設定値）を標準値としてもよいし、ユーザ側で定めた任意の印圧値（デフォルト設定値）を標準値としてもよい。上述の「接地面積率Ｒに基づく押し込み量」は、印圧がこの標準値であると仮定して、算出される（Ｓ８３）。
【０１９３】
そして、設定印圧に基づいて補正された注目位置の押し込み量は、フレキソ版材Ｆ（フレキソ印刷版１）の高さ分布（版厚分布）に基づいて、データ補正される（Ｓ８５）。すなわち、フレキソ版材Ｆの版厚のバラツキによってもたらされる印圧のバラツキをキャンセルするように、注目位置の押し込み量は補正される。版厚分布は、画像との対応に基づ
いて、ベタ領域のうち最も低い位置の高さ（基準高さ）、すなわちベタ領域のうち最も薄い部分の接触位置を基準とすることができる。この基準高さに対して、注目位置（注目画素）のレリーフ先端部位置（レリーフ接触位置）が相対的に高い場合はその注目位置における押し込み量が増大するように、また相対的に低い場合はその注目位置における押し込み量が減じられるように、注目位置における押し込み量のデータが補正される。
【０１９４】
そして、補正された「注目位置における押し込み量のデータ」に基づいて、彫刻形状データの補正量が求められる（Ｓ８６）。
【０１９５】
図３４は、「注目位置（注目画素）における押し込み量」と「注目位置の彫刻形状データの補正量」との対応関係の一例を示す図である。なお、図３４における「基準値」は、予め定められた標準的な印圧に対応する押し込み量に相当する。
【０１９６】
図３４に示すように、押し込み量が大きいほど補正量が大きく、押し込み量が小さいほど補正量が小さい。これは、押し込み量が大きいほど、単位面積当たりに係る力（印圧）も大きくなり、その印圧の増大に伴って、本来の印刷画像からのズレ量も増大する傾向にあるからである。このような「押し込み量とデータ補正量との対応関係」は、予め測定され、図示しないメモリ等に記憶され、必要に応じて適宜読み出されるようになっている。そして、読み出された「押し込み量とデータ補正量との対応関係」に基づいて、補正された「注目位置における押し込み量のデータ」に対応する、彫刻形状データの補正量が求められる。
【０１９７】
このように、押し込み量及びデータ補正量は、画像データ、版厚分布データ及び設定印圧に基づいて算出されるが、これは、画像データ及び版厚分布データに基づいて印圧分布を推定し、この印圧分布及び設定印圧に基づいてレリーフパターンデータの補正量を算出することに等しい。
【０１９８】
なお、図３３に示される「ＲＯＩ内における接地面積率と押し込み量との対応関係」を表すデータや図３４に示される「注目位置（注目画素）における押し込み量とデータ補正量との対応関係」を表すデータは、フレキソ版材Ｆの特性やレーザー彫刻機２０における彫刻特性（レリーフ形成特性）に応じて変動するため、使用するシステム（フレキソ印刷システム６０）に応じて定められる。したがって、使用システムに応じてレリーフの種類毎に予め求められた「ＲＯＩ内における接地面積率と押し込み量との対応関係」のデータ及び「注目位置（注目画素）における押し込み量とデータ補正量との対応関係」のデータは、図示しない所定のメモリ等に記憶され、「彫刻形状データの補正量」の算出時に適宜読み出されて用いられる。
【０１９９】
また、注目位置が網点の場合には、網点面積率（網点濃度：網点パーセント）に応じて、「ＲＯＩ内における接地面積率と押し込み量との対応関係」の特性（図３３参照）や「注目位置（注目画素）における押し込み量とデータ補正量との対応関係」の特性（図３４参照）が変更決定されることが望ましい。これは、網点パーセントが高い網点（特に網点面積率が５０パーセント以上の網点）の場合には、印刷時におけるフレキソ印刷版１のレリーフ５０の変形が比較的小さいが、網点パーセントが低い網点の場合には印刷時におけるフレキソ印刷版１のレリーフ５０の変形が比較的大きいためである。
【０２００】
このようにして、注目位置が網点の場合の「彫刻形状データの補正量」が算出される。一方、注目位置が凸細線の場合も同様にして「彫刻形状データの補正量」が算出される。
【０２０１】
すなわち、注目位置が網点ではなく（図３２のＳ８２のＮＯ）、凸細線に相当する領域であると判定される場合（Ｓ８７のＹＥＳ）、凸細線領域の面積率（接地面積率）Ｒに対
応する、注目位置の押し込み量が求められる（Ｓ８８、図３３参照）。そして、設定印圧及びフレキソ版材Ｆの版厚分布データに基づいて、注目位置における押し込み量のデータが補正され（Ｓ８９、Ｓ９０）、補正された「注目位置における押し込み量のデータ」に基づいて、彫刻形状データの補正量が求められる（Ｓ９１、図３４参照）。
【０２０２】
なお、この場合の彫刻形状データの補正量の算出の基礎となる「ＲＯＩ内における接地面積率と押し込み量との対応関係」の特性や「注目位置（注目画素）における押し込み量とデータ補正量との対応関係」の特性は、注目位置が凸細線の場合の特性が用いられ、注目位置が網点の場合の特性（図３３及び図３４参照）とは異なるものとなる。
【０２０３】
一方、注目位置が凸細線ではなく（Ｓ８７のＮＯ）、ベタに相当する領域であると判定される場合（Ｓ９２のＹＥＳ）、補正量の算出は行われず、データ補正部８６（図１１参照）における彫刻形状データの補正は行われずスキップされる。これは、ベタ領域では、全面にわたってフレキソ印刷版１と被印刷媒体３とが接触するため、彫刻形状データの補正が不要であるからである。
【０２０４】
そして、注目位置が網点、凸細線及びベタのいずれでもないと判定される場合には（Ｓ９２のＮＯ）、その他の領域の面積率（接地面積率）Ｒに対応する、注目位置の押し込み量が求められる（Ｓ９３、図３３参照）。そして、設定印圧及びフレキソ版材Ｆの版厚分布データに基づいて、注目位置における押し込み量のデータが補正され（Ｓ９４、Ｓ９５）、補正された「注目位置における押し込み量のデータ」に基づいて、彫刻形状データの補正量が求められる（Ｓ９６、図３４参照）。
【０２０５】
なお、この場合の彫刻形状データの補正量の算出の基礎となる「ＲＯＩ内における接地面積率と押し込み量との対応関係」の特性や「注目位置（注目画素）における押し込み量とデータ補正量との対応関係」の特性は、注目位置が網点の場合の特性（図３３及び図３４参照）や凸細線の場合の特性とは異なるものとなる。
【０２０６】
上述の彫刻形状データの補正量算出時（図３２のＳ８０〜Ｓ９６参照）に使用される、「ＲＯＩ内における接地面積率と押し込み量との対応関係」の特性や「注目位置（注目画素）における押し込み量とデータ補正量との対応関係」の特性は、ＲＯＩサイズと同様に、注目位置が網点、凸細線、或いはそれ以外のいずれの場合においても、使用するフレキソ印刷版１（フレキソ版材Ｆ）の版硬度と粘弾性とに応じて定められることが望ましい。
【０２０７】
上述のようにして彫刻形状データの補正量が決定されると、彫刻形状データ補正部７８のデータ補正部８６（図１１参照）において、決定された補正量に基づき彫刻形状データが補正される。
【０２０８】
なお、データ補正部８６を露光量データ変換部８０と一体的に設けてもよく、印圧分布及び設定印圧に基づいて求められる「データ補正量」が、彫刻形状データに対して直接的に反映されるのではなく、間接的に、露光量データに対して反映されるようにしてもよい（図２１参照）。
【０２０９】
図３５は、レーザービーム径に対応した形状補正を実現するための露光変換テーブルを示す表である。図３５において、「フォーカス位置ｆ０」はビーム径が最小となる位置（基準フォーカス位置）を表し（図３０参照）、「＋」及び「−」は、基準フォーカス位置ｆ０を挟んで逆側の位置に関することを表し、高さの単位はマイクロメートル（μｍ）を基準としている。したがって、図３５に示す「フォーカス位置ｆ＋１」及び「フォーカス位置ｆ＋２」と「フォーカス位置ｆ−１」及び「フォーカス位置ｆ−２」とは、基準フォーカス位置ｆ０を挟んで逆側に位置する（図３０の「ｆｐ」及び「ｆｑ」と「ｆｍ」及び
「ｆｎ」参照）。また、基準フォーカス位置ｆ０からの距離に関し、「フォーカス位置ｆ＋１」と「フォーカス位置ｆ−１」とは等しく、「フォーカス位置ｆ＋２」と「フォーカス位置ｆ−２」とは等しい。
【０２１０】
図３５に示すように、レリーフ高さに応じた露光量データが露光テーブルとして図示しないメモリ等に格納されていてもよい。レーザー彫刻機２０（図３参照）は、オートフォーカス機構によってフレキソ版材Ｆの所定位置をフォーカス位置（図３０の「ｆ０」）となるように、レーザーＬの焦点位置を調整する。図３５の表中の「高さ」（フォーカス位置）は、基準フォーカス位置ｆ０を基準として、版高さ（版厚）バラツキをフォーカス位置ｆ０に対する距離（相対的な高さ）として表したものである。
【０２１１】
露光量データ変換部８０は、図３５示す露光変換テーブルを参照することで、注目位置毎に決定した補正量に基づいて露光量データの補正（露光補正）を行うことが可能である。なお、図３５に示すようなフォーカス位置毎の露光テーブルは、図２１に示すような補正量（「補正量１」〜「補正量５」）とレリーフ種類（「網点」、「凸細線」及び「その他」）とによって決定される露光テーブル（「露光テーブル１」〜「露光テーブル５」）の各々に対して割り当てられる。したがって、露光量データ変換部８０は、注目位置（注目画素）のレリーフ種類（「網点」、「凸細線」及び「その他」）と算出されたデータ補正量（「補正量１」〜「補正量５」）から対応の露光テーブル（図２１）を決定する。一方、露光量データ変換部８０は、注目位置の基準フォーカス位置ｆ０に対する版高さ（版厚）を算出する。そして、露光量データ変換部８０は、決定した露光テーブル（図２１）に割り当てられる「図３５に示すようなフォーカス位置毎の露光テーブル」のうち、注目位置の版高さ（版厚）に対応する露光テーブルを決定する。このようにして決定される露光テーブルに基づいて、露光量データが決められる。
【０２１２】
このようにして算出される「補正量が反映された露光量データ」に基づいて、印刷版製造装置６２ではフレキソ印刷版１の適切なレリーフ彫刻形成を行うことができる。なお、彫刻装置（印刷版製造装置６２）に応じた彫刻アルゴリズムに基づく露光量データの変換算出過程において、図２１及び図３５に示すような変換テーブルに格納される数値（補正反映値：露光テーブル）を補正前の露光量データ（補正前の彫刻形状データから導き出される露光量データ）に乗じることで、「補正量が反映された露光量データ」を算出するようにしてもよい。
【０２１３】
また、露光量データ生成部７０は、設定印圧に基づいて印圧管理レリーフ（印圧管理チャート）を決定し、この決定した印圧管理レリーフ（印圧管理チャート）を露光量データに変換するようにしてもよい（図２２参照）。この場合、設定印圧毎に対応の露光量データを予め定めておき、入力された設定印圧に応じて対応の露光量データを読み出して、フレキソ印刷版１に印圧管理レリーフ１４が形成されるようにしてもよい（図２３参照）。さらに、印圧管理レリーフ１４が形成される位置のフレキソ版材Ｆ（フレキソ印刷版１）の版厚を加味して、印圧管理レリーフ１４を形成してもよい。
【０２１４】
図３６は、レーザービーム径に対応した印圧管理レリーフを実現するための露光変換テーブルを示す表である。なお、図３６に示される「フォーカス位置」は、図３５に示される「フォーカス位置」と同様である。
【０２１５】
図３６に示すように、印圧管理レリーフに応じた露光量データが露光テーブルとして図示しないメモリ等に格納されていてもよい。図３６の表中の「高さ」（フォーカス位置）は、基準フォーカス位置ｆ０を基準として、版高さ（版厚）バラツキをフォーカス位置ｆ０に対する距離（相対的な高さ）として表したものであり、高さの単位はマイクロメートル（μｍ）を基準としている。
【０２１６】
露光量データ変換部８０は、図３６示す露光変換テーブルを参照することで、印圧管理レリーフを形成するための露光量データの補正（露光補正）を行うことが可能である。なお、図３６に示すようなフォーカス位置毎の露光テーブルは、図２３に示すような設定印圧管理チャート（印圧管理レリーフ）用の露光テーブル（「露光テーブル１」〜「露光テーブル５」）の各々に対して割り当てられる。
【０２１７】
図３７は、版厚分布を加味した印圧管理レリーフ１４用の露光量データの算出フローの一例を示す図である。本例では、露光量データ変換部８０は、設定印圧（「設定印圧１」〜「設定印圧５」）から対応の露光テーブル（図２３）を決定する。一方、露光量データ変換部８０は、印圧管理レリーフ１４を形成する位置（印圧管理チャート位置）の版高さ（版厚）を算出する。そして、露光量データ変換部８０は、決定した露光テーブル（図２３）に割り当てられる「図３６に示すようなフォーカス位置毎の露光テーブル」のうち、印圧管理レリーフ１４を形成する位置の版高さ（版厚）に対応する露光テーブルを決定する。このようにして決定される露光テーブルに基づいて、印圧管理レリーフ１４を露光形成するための露光量データが決められる。
【０２１８】
なお、この場合、「画像データに基づく露光量データ」と「設定印圧に基づく露光量データ」とは露光量データ変換部８０において合成される。
【０２１９】
＜レリーフ補正例＞
上述のようにして彫刻形状データ／露光量データが補正されることで、印圧分布（及び版厚分布）及び設定印圧を考慮したレリーフ補正が可能となる。
【０２２０】
図３８は、彫刻形状データに変換前の画像データ（１ビット画像データ）の一例を示す図であり、図３９は、図３８の画像データから求められる彫刻形状データの一例を示す図である。なお、図３８及び図３９の各々には、画像データ／彫刻形状データによって被印刷媒体３上に再現された印刷画像９０が示されている。
【０２２１】
上述のように、フレキソ印刷版１の印圧分布は、フレキソ印刷版１の所定範囲のうち被印刷媒体３と接する部分の面積割合に基づいて推定されるが、図３８に示すような「彫刻形状データに変換前の画像データ」に基づいて推定されてもよいし、図３９に示すような「彫刻形状データ」に基づいて推定されてもよい。
【０２２２】
図４０及び図４１は、図３９に示す彫刻形状データを印圧分布に基づいて補正することで得られる「補正後の彫刻形状データ」を例示する図である。なお、図４０及び図４１の各々には、周辺の印圧分布の影響を無視して、「補正後の彫刻形状データ」に基づき通常のフレキソ印刷（転写印刷）によって被印刷媒体３上に再現される印刷画像９０が示されている。
【０２２３】
図３９に示す（補正前の）彫刻形状データと比較して、図４０に示す例では印刷画像９０が全体的に太るように「彫刻形状データ」が補正されており、図４１に示す例では印刷画像９０が全体的に細るように「彫刻形状データ」が補正されている。したがって、例えば周辺の状態によって注目位置に掛かる印圧が通常よりも小さくなる場合には、図４０に示すような「印刷画像９０を太らせるような彫刻形状データ」に補正することで、掛かる印圧が通常より小さくても、結果として、通常印圧が掛かる場合と同じ印刷画像９０を被印刷媒体３上に再現することが可能となる。一方、周辺の状態によって注目位置に掛かる印圧が通常よりも大きくなる場合には、図４１に示すような「印刷画像９０を細らせるような彫刻形状データ」に補正することで、掛かる印圧が通常より大きくても、結果として、通常印圧が掛かる場合と同じ印刷画像９０を被印刷媒体３上に再現することが可能とな
る。
【０２２４】
図４２は、フレキソ印刷版１の一部に形成されたレリーフ５０の一例を示す外観斜視図であり、印圧分布を考慮した補正が行われていない彫刻形状データに基づいて、フレキソ印刷版１上に彫刻作成されたレリーフ５０（凸部５１）の一例を示す。図４３は、フレキソ印刷版１の一部に形成されたレリーフ５０の一例を示す外観斜視図であり、印圧分布を考慮した補正が行われた彫刻形状データに基づいて、フレキソ印刷版１上に彫刻作成されたレリーフ５０（凸部５１）の一例を示す。
【０２２５】
フレキソ印刷版１に形成されるレリーフパターンは複数の凸部５１を含んで構成され、各凸部は、基礎部と、基礎部上に設けられ被印刷媒体３に押し当てられる先端部とを有する。フレキソ印刷において被印刷媒体３に再現される印刷画像９０の質を大きく左右する要素として、この凸部５１の高さ（図４２の「ＴＡ」参照）と、凸部５１のうち被印刷媒体３と接触する先端部の形状（径：図４２の「ＤＡ」参照）とが挙げられる。
【０２２６】
したがって、彫刻形状データは、レリーフパターンに含まれる複数の凸部５１の高さのデータ及び形状のデータを含み、印圧分布に基づく彫刻形状データの補正量は、これらの凸部５１の高さのデータ及び形状のデータのうち少なくともいずれか一方に関するものとすることが好ましい。特に、凸部５１の形状のデータは、少なくとも先端部の形状のデータを含むことが好ましく、この先端部の形状のデータは、先端部のうち印刷時に被印刷媒体と接する部分（面）のデータを含むことが好ましい。また、複数の凸部の高さのデータは、先端部の高さと、基礎部の高さと、先端部及び基礎部の全体の高さとのうち少なくともいずれか一つに関するものであることが好ましく、特に全体高さ及び先端部の高さに関するものであることが好ましい。
【０２２７】
したがって、印圧分布に基づく補正によって、フレキソ印刷版１に形成される凸部５１（レリーフ５０）の高さ（図４３の「ＴＢ（＝ＴＡ−ΔＴ）」参照）や先端部の形状（径：図４３の「ＤＢ」参照）を調整することが好ましい。
【０２２８】
図４４は、網点中の小点の彫刻形状（先端部形状）を印圧分布に応じて補正する例を説明するための凸部５１の外観図であり、（ａ）は標準よりも大きな印圧が作用する場合の凸部５１を示し、（ｂ）は標準的な印圧が作用する場合の凸部５１を示し、（ｃ）は標準よりも小さな印圧が作用する場合の凸部５１を示す。
【０２２９】
凸部５１の各々は、円錐台状の基礎部５２と、基礎部５２上に設けられる円柱状の先端部５３とを有し、先端部５３は基礎部５２の頂部と同じ大きさの断面径を持つ。図４４に示す例では、彫刻形状データの「複数の凸部５１の形状のデータ」は少なくとも先端部５３の形状のデータを含み、この「先端部５３の形状のデータ」は先端部５３のうち印刷時に被印刷媒体３と接する部分のデータを含み、印圧分布に応じて凸部５１の先端部５３の形状（径）が補正調整されている。
【０２３０】
すなわち、周辺からの影響が小さく、注目位置に掛かる印圧が予想される標準的な範囲内にある場合には、凸部５１の先端部５３のうち「被印刷媒体３と接する部分（接地部分）」の径も標準的な大きさに設定される（図４４（ｂ）の「Ｄ２」参照）。一方、周辺からの影響によって、注目位置に掛かる印圧が予想される標準的な大きさよりも大きい場合（過大な場合）には、標準印圧時（図４４（ｂ））に比べて、凸部５１の先端部５３の径を小さくして先端部断面積を減少させる（図４４（ａ）の「Ｄ１」参照）。これにより、凸部５１（先端部５３）の変形によってもたらされうる「接地部分及び印刷画像９０の太り」を軽減する予測補正を行うことができる。また、周辺からの影響によって、注目位置に掛かる印圧が予想される標準的な大きさよりも小さい場合（過小な場合）には、標準印
圧時（図４４（ｂ））に比べて、凸部５１の先端部５３の接地部分の径を大きくして先端部断面積を増大させる（図４４（ｃ）の「Ｄ３」参照）。これにより、印圧の小ささによる凸部５１（先端部５３）の変形不足によってもたらされうる「接地部分及び印刷画像９０の細り」の影響を軽減する予測補正を行うことができる。
【０２３１】
図４５は、網点中の小点の彫刻形状（凸部高さ）を印圧分布に応じて補正する例を説明するための凸部５１（レリーフ５０）の外観図であり、（ａ）は標準よりも大きな印圧が作用する場合の凸部５１を示し、（ｂ）は標準的な印圧が作用する場合の凸部５１を示し、（ｃ）は標準よりも小さな印圧が作用する場合の凸部５１を示す。
【０２３２】
図４４に示す例では「凸部５１（レリーフ５０）の先端部５３の径」を調整することで、印圧分布に基づく彫刻形状データの補正を行っていたが、「凸部５１の高さ」を調整（低層化／高層化）することでそのような補正を行ってもよい。すなわち、凸部５１の先端部５３の接地部分の高さを調整することで、注目位置に掛かる印圧の大きさを調整して、印刷時における凸部５１の意図しない変形を防止することが可能である。
【０２３３】
なお、ここでいう「凸部５１の高さ」の調整とは、フレキソ印刷版１のレリーフ形成領域内での相対的なレリーフ高さを調整することであり、例えばベタ部印刷用の領域（図４の「ベタ領域」参照）のレリーフ頂部の位置（高さ）を基準とした相対位置（相対高さ）の調整のことである。
【０２３４】
彫刻装置の特性によっては、最小径を持つ網点印刷に使用されるレリーフ５０（凸部５１）の接地面（最小接地面）が制限されることがあるが、そのような場合であっても、「凸部５１の高さ」を調整することによって、被印刷媒体３との相対距離をコントロールし、印刷小点径を小さくすることが可能である。
【０２３５】
例えば、周辺からの影響が小さく、注目位置に掛かる印圧が予想される標準的な範囲内にある場合には、凸部５１の先端部５３のうち「凸部５１の高さ」も標準的な高さに設定される（図４５（ｂ）の「Ｔ２」参照）。一方、周辺からの影響によって、注目位置に掛かる印圧が予想される標準的な大きさよりも大きい場合（過大な場合）には、標準印圧時（図４５（ｂ））に比べて、「凸部５１の高さ」を小さくする（図４５（ａ）の「Ｔ１」参照）。これにより、凸部５１（先端部５３）の変形によってもたらされうる「接地部分及び印刷画像９０の太り」を軽減する予測補正を行うことができる。また、周辺からの影響によって、注目位置に掛かる印圧が予想される標準的な大きさよりも小さい場合（過小な場合）には、標準印圧時（図４５（ｂ））に比べて、「凸部５１の高さ」を大きくする（図４５（ｃ）の「Ｔ３」参照）。これにより、印圧の小ささによる凸部５１（先端部５３）の変形不足によってもたらされうる「接地部分及び印刷画像９０の細り」の影響を軽減する予測補正を行うことができる。
【０２３６】
図４６は、網点中の小点の彫刻形状（凸部先端部体積）を印圧分布に応じて補正する例を説明するための凸部５１（レリーフ５０）の外観図であり、（ａ）は標準よりも大きな印圧が作用する場合の凸部５１を示し、（ｂ）は標準的な印圧が作用する場合の凸部５１を示し、（ｃ）は標準よりも小さな印圧が作用する場合の凸部５１を示す。
【０２３７】
図４４及び図４５に示す例では凸部５１（レリーフ５０）の１次元方向の大きさ（先端部径、凸部高さ）を調整することで、印圧分布に基づく彫刻形状データの補正を行っていたが、３次元的な観点から、印圧分布に基づく彫刻形状データの補正を行ってもよい。すなわち、彫刻形状データは、レリーフパターンに含まれる複数の凸部５１の体積のデータを直接的に又は間接的に含み、印圧分布に基づく彫刻形状データの補正量は、この体積のデータに関するものであることが好ましい。凸部５１の体積（とりわけ先端部５３の体積
）をコントロールすることで、注目位置に掛かる印圧の大きさを調整し、印刷時における凸部５１の意図しない変形を防止することが可能である。なお、ここでいう「凸部５１の体積のデータ」は、凸部５１（基礎部５２及び先端部５３）の断面形状（断面径等）のデータ及び高さデータによって表される間接的な「体積のデータ」であってもよい。
【０２３８】
図４６に示す例では、各凸部５１は、円錐台状の基礎部５２の頂部に円錐台状の先端部５３の底部が位置するように一体的に設けられており、基礎部５２の頂部の断面径と先端部５３の底部の断面径とは一致しておらず、「基礎部５２の頂部の断面径」＞「先端部５３の底部の断面径」の関係を有する。このような構成において、「凸部５１の先端部５３の体積」を調整することにより、印刷小点径をコントロールすることが可能である。
【０２３９】
例えば、周辺からの影響が小さく、注目位置に掛かる印圧が予想される標準的な範囲内にある場合には、凸部５１の先端部５３の体積も標準的な大きさとなるように、先端部５３の径及び高さが決められる（図４６（ｂ）の「Ｄ２」及び「ＴＨ２」参照）。一方、周辺からの影響によって、注目位置に掛かる印圧が予想される標準的な大きさよりも大きい場合（過大な場合）には、標準印圧時（図４６（ｂ））に比べて、凸部５１の先端部５３の体積が小さくなるように先端部５３の径及び高さを決める（図４６（ａ）の「Ｄ１」及び「ＴＨ１」参照）。これにより、凸部５１（先端部５３）の変形によってもたらされうる「接地部分及び印刷画像９０の太り」を軽減する予測補正を行うことができる。また、周辺からの影響によって、注目位置に掛かる印圧が予想される標準的な大きさよりも小さい場合（過小な場合）には、標準印圧時（図４６（ｂ））に比べて、凸部５１の先端部５３の体積が大きくなるように先端部５３の径及び高さを決める（図４６（ｃ）の「Ｄ３」及び「ＴＨ３」参照）。これにより、印圧の小ささによる凸部５１（先端部５３）の変形不足によってもたらされうる「接地部分及び印刷画像９０の細り」の影響を軽減する予測補正を行うことができる。
【０２４０】
なお、凸部５１の先端部５３に加えて（或いは凸部５１の先端部５３に代えて）、基礎部５２の体積を調整してもよい。すなわち、印圧に対する周辺からの影響を軽減するように、標準よりも大きな印圧が掛かる場合には基礎部５２の体積が小さくなるように、また標準よりも小さな印圧が掛かる場合には基礎部５２の体積が大きくなるように、基礎部５２の径及び高さが決められてもよい（図４６（ａ）〜（ｃ）の「ＤＢ１」〜「ＤＢ３」、「ＴＨ１」〜「ＴＨ３」参照）。ただし、通常は、基礎部５２よりも先端部５３の体積のほうが、印圧に与える影響は大きいので、先端部５３の体積（径、高さ）を優先的にコントロールしたほうが良い場合が多い。
【０２４１】
なお、上述以外の手法によって、フレキソ印刷版１の網点用のレリーフ５０（凸部５１）の彫刻形状（彫刻形状データ）を調整してもよく、上述の図４４〜図４６に示した手法を組み合わせて凸部５１の先端部５３の径及び高さ、基礎部５２の径及び高さ、先端部５３と基礎部５２との間におけるサイズ比（体積比）等を適宜調整してもよい。
【０２４２】
上述の図４４〜図４６は、網点印刷のための彫刻形状補正について説明したが、他の彫刻形状補正も同様にして行うことができる。
【０２４３】
図４７は、凸細線印刷用のレリーフ彫刻形状（先端部形状）を印圧分布に応じて補正する例を説明するための凸部５１の外観図であり、（ａ）は凸細線印刷用の凸部５１の外観斜視図であり、（ｂ）は標準よりも大きな印圧が作用する場合の凸部５１の断面図を示し、（ｃ）は標準的な印圧が作用する場合の凸部５１の断面図を示し、（ｄ）は標準よりも小さな印圧が作用する場合の凸部５１の断面図を示す。
【０２４４】
本例の凸細線印刷用の凸部５１は、基礎部５２と、基礎部５２の頂面上に設けられる先
端部５３とを有し、基礎部５２は側面が台形の四角柱状の形状を有し、先端部５３は側面が長方形の四角柱状の形状を有する。
【０２４５】
例えば、周辺からの影響が小さく、注目位置に掛かる印圧が予想される標準的な範囲内にある場合には、凸部５１の先端部５３のうち「被印刷媒体３と接する頂部（接地部分）」の大きさ（幅）も標準的な大きさに設定される（図４７（ｃ）の「Ｄ２」参照）。一方、周辺からの影響によって、注目位置に掛かる印圧が予想される標準的な大きさよりも大きい場合（過大な場合）には、標準印圧時（図４７（ｃ））に比べて、凸部５１の先端部５３の大きさ（幅）を減じて先端部断面積を減少させる（図４７（ｂ）の「Ｄ１」参照）。これにより凸部５１（先端部５３）の変形によってもたらされうる「接地部分及び印刷画像９０の太り」を軽減する予測補正を行うことができる。また、周辺からの影響によって、注目位置に掛かる印圧が予想される標準的な大きさよりも小さい場合（過小な場合）には、標準印圧時（図４７（ｃ））に比べて、凸部５１の先端部５３の大きさ（幅）を増して先端部断面積を増大させる（図４７（ｄ）の「Ｄ３」参照）。これにより、印圧の小ささによる凸部５１（先端部５３）の変形不足によってもたらされうる「接地部分及び印刷画像９０の細り」の影響を軽減する予測補正を行うことができる。
【０２４６】
また、３次元的な観点から彫刻形状データの補正を行ってもよく、凸部５１の体積（とりわけ先端部５３の体積）をコントロールすることで、注目位置に掛かる印圧の大きさを調整し、印刷時における凸部５１の意図しない変形を防止することが可能である。
【０２４７】
図４８は、凸細線印刷用のレリーフ彫刻形状（先端部体積）を印圧分布に応じて補正する例を説明するための凸部５１（レリーフ５０）の外観図であり、（ａ）は凸細線印刷用の凸部５１の外観斜視図であり、（ｂ）は標準よりも大きな印圧が作用する場合の凸部５１の断面図を示し、（ｃ）は標準的な印圧が作用する場合の凸部５１の断面図を示し、（ｄ）は標準よりも小さな印圧が作用する場合の凸部５１の断面図を示す。
【０２４８】
本例の凸細線印刷用の凸部５１の基礎部５２は、図４７の凸部５１と同様に側面が台形の四角柱状の形状を有しているが、先端部５３も側面が台形の四角柱状の形状を有する。
【０２４９】
例えば、周辺からの影響が小さく、注目位置に掛かる印圧が予想される標準的な範囲内にある場合には、凸部５１の先端部５３の体積も標準的な大きさとなるように、先端部５３のうち「被印刷媒体３と接する頂部（接地部分）」の大きさ（幅）も標準的な大きさに設定される（図４８（ｃ）の「Ｄ２」参照）。一方、周辺からの影響によって、注目位置に掛かる印圧が予想される標準的な大きさよりも大きい場合（過大な場合）には、標準印圧時（図４７（ｃ））に比べて、凸部５１の先端部５３の体積が小さくなるように先端部５３のうち被印刷媒体３と接する接地部分の大きさ（幅）を決める（図４８（ｂ）の「Ｄ１」参照）。これにより、凸部５１（先端部５３）の変形によってもたらされうる「接地部分及び印刷画像９０の太り」を軽減する予測補正を行うことができる。また、周辺からの影響によって、注目位置に掛かる印圧が予想される標準的な大きさよりも小さい場合（過小な場合）には、標準印圧時（図４７（ｃ））に比べて、凸部５１の先端部５３の体積が大きくなるように先端部５３のうち被印刷媒体３と接する接地部分の大きさ（幅）を決める（図４７（ｄ）の「Ｄ３」参照）。これにより、印圧の小ささによる凸部５１（先端部５３）の変形不足によってもたらされうる「接地部分及び印刷画像９０の細り」の影響を軽減する予測補正を行うことができる。
【０２５０】
なお、上述以外の手法によって、フレキソ印刷版１の凸細線用のレリーフ５０（凸部５１）の彫刻形状（彫刻形状データ）を調整してもよく、上述の図４７〜図４８に示した手法を組み合わせて凸部５１の先端部５３の幅及び高さ、基礎部５２の幅及び高さ、先端部５３と基礎部５２との間におけるサイズ比（体積比）等を適宜調整してもよい。
【０２５１】
＜変形例＞
上述のようにして画像レリーフ１２及び印圧管理レリーフ１４が形成されたフレキソ印刷版１（図１４参照）が被印刷媒体３に押し当てられると、画像レリーフ１２によって画像データに基づく画像内容が被印刷媒体３に印刷され、印圧管理レリーフ１４によって実際の印刷時における印圧の大きさの指標となる印圧管理チャートが被印刷媒体３に印刷される。
【０２５２】
この印圧管理チャートは、ユーザの視覚によって確認されてもよいが、撮像装置等によって機械的に確認されるようにしてもよい。
【０２５３】
図４９は、印圧判定装置９１の構成例を示す図である。本例の印圧判定装置９１は、フレキソ印刷機１０の媒体搬送方向下流側（図４９の下側）に設けられており、撮像部９２、判定処理部９４及びメモリ９６を含んで構成されている。
【０２５４】
撮像部９２は、印刷物Ｐに印刷された画像を撮像するカメラであり、撮像した画像を示す撮像信号を判定処理部９４に出力する。判定処理部９４は、撮像信号の示す画像中の所定部分の光学濃度を検出する。この所定部分は、印圧管理レリーフによって印圧管理チャートが印刷される予定の箇所を含む。メモリ９６には、所定部分の光学濃度と、印刷時に印刷用凸版Ｃの版面に掛かる印圧との関係を示すテーブルが格納されている。判定処理部９４は、メモリ９６に格納されたテーブルを参照し、検出した光学濃度に応じた印圧を特定（推定）することができる。そして、判定処理部９４は、特定した印圧が所定範囲にあれば、最適な印圧（適正印圧）で被印刷媒体３上に印刷が行われたと判定する。一方、判定処理部９４は、特定した印圧が所定範囲から外れている場合には、過剰な印圧や過小な印圧で被印刷媒体３上に印刷が行われたと判定する。判定処理部９４での判定結果は、外部（ユーザ等）に任意の手法で通知される。
【０２５５】
本発明は上述した実施形態に限定されず、本発明の精神を逸脱しない範囲で種々の変形が可能であることは言うまでもない。
【符号の説明】
【０２５６】
１…フレキソ印刷版、２…クッションテープ、３…被印刷媒体、４…版胴、６…ドクターチャンバ、８…アニロックスローラ、９…圧胴、１０…フレキソ印刷機、１２…画像レリーフ、１４…印圧管理レリーフ、２０…レーザー彫刻機、２２…ドラム、２４…軸線、２６…チャック部材、２８…露光ヘッド、３０…ステージ、３２…ピント位置変更機構、３４…モータ、３６…ボールネジ、３８…間欠送り機構、４０…ボールネジ、４２…副走査モータ、４４…、４６…版厚分布測定装置、４８…版厚分布記憶部、５０…レリーフ、５１…凸部、５２…基礎部、５３…先端部、６０…フレキソ印刷システム、６１…ＲＩＰ装置、６２…印刷版製造装置、６６…ＲＩＰ処理部、６８…スクリーニング処理部、７０…露光量データ生成部、７２…ＣＴＰ描画機、７４…突起部高さデータ変換部、７６…彫刻形状データ変換部、７７…版厚分布取得部、７８…彫刻形状データ補正部、８０…露光量データ変換部、８２…印圧分布推定部、８４…補正量算出部、８６…データ補正部、９０…印刷画像、９１…印圧判定装置、９２…撮像部、９４…判定処理部、９６…メモリ
【図１】
2014198390.tif 000003
【図２】
2014198390.tif 000004
【図３】
2014198390.tif 000005
【図４】
2014198390.tif 000006
【図５】
2014198390.tif 000007
【図６】
2014198390.tif 000008
【図９】
2014198390.tif 000009
【図１０】
2014198390.tif 000010
【図１１】
2014198390.tif 000011
【図１２】
2014198390.tif 000012
【図１３】
2014198390.tif 000013
【図１４】
2014198390.tif 000014
【図１５】
2014198390.tif 000015
【図１６】
2014198390.tif 000016
【図１７】
2014198390.tif 000017
【図１８】
2014198390.tif 000018
【図２０】
2014198390.tif 000019
【図２１】
2014198390.tif 000020
【図２２】
2014198390.tif 000021
【図２３】
2014198390.tif 000022
【図２５】
2014198390.tif 000023
【図２６】
2014198390.tif 000024
【図２８】
2014198390.tif 000025
【図２９】
2014198390.tif 000026
【図３０】
2014198390.tif 000027
【図３１】
2014198390.tif 000028
【図３２】
2014198390.tif 000029
【図３３】
2014198390.tif 000030
【図３４】
2014198390.tif 000031
【図３５】
2014198390.tif 000032
【図３６】
2014198390.tif 000033
【図３７】
2014198390.tif 000034
【図３８】
2014198390.tif 000035
【図３９】
2014198390.tif 000036
【図４０】
2014198390.tif 000037
【図４１】
2014198390.tif 000038
【図４２】
2014198390.tif 000039
【図４３】
2014198390.tif 000040
【図４４】
2014198390.tif 000041
【図４５】
2014198390.tif 000042
【図４６】
2014198390.tif 000043
【図４７】
2014198390.tif 000044
【図４８】
2014198390.tif 000045
【図４９】
2014198390.tif 000046
【図７】
2014198390.tif 000047
【図８】
2014198390.tif 000048
【図１９】
2014198390.tif 000049
【図２４】
2014198390.tif 000050
【図２７】
2014198390.tif 000051